(57)【特許請求の範囲】
【請求項１】
特定セルが、ＣＳＩ−ＲＳミューティング情報を端末に送信する方法であって、
ミューティングサブフレームの周期とオフセットとを表す第１のデータフィールドと、ミューティングを適用するか否かをビットマップ形式により表示する１２ビット以上２８ビット以下のｎビットのビットマップを有する第２のデータフィールドとを含む前記ＣＳＩ−ＲＳミューティング情報を生成し、
生成された前記ＣＳＩ−ＲＳミューティング情報を前記端末に送信し、
データを前記ＣＳＩ−ＲＳミューティング情報を利用してリソースエレメント（Ｒｅｓｏｕｒｃｅ Ｅｌｅｍｅｎｔ）にマッピングし、
前記マッピングすることは、ゼロパワーでミューティングすることを含み、
端末に前記マッピングされたデータを含む信号を送信する、ＣＳＩ−ＲＳミューティング情報送信方法。
【請求項２】
前記隣接セルからＣＳＩ−ＲＳパターン、ＣＳＩ−ＲＳアンテナポート個数、ＣＳＩ−ＲＳ送信周期（ｄｕｔｙ ｃｙｃｌｅ）、ＣＳＩ−ＲＳ送信サブフレームオフセット情報の
うちの１つ以上を含む隣接セルのＣＳＩ−ＲＳ情報を受信し、
前記隣接セルのＣＳＩ−ＲＳ情報に基づいて該当隣接セルのＣＳＩ−ＲＳと重畳されてミューティングを必要とする時間／周波数リソース領域であるミューティング領域を決定することをさらに含む、請求項１に記載のＣＳＩ−ＲＳミューティング情報送信方法。
【請求項３】
前記第１データフィールドは、
前記ミューティングが適用されるミューティングサブフレームの位置と前記特定セルまたは隣接セルのＣＳＩ−ＲＳ送信周期及びＣＳＩ−ＲＳ送信オフセットの間の関係に従って構成されることを特徴とする、請求項１に記載のＣＳＩ−ＲＳミューティング情報送信方法。
【請求項４】
前記ｎビットのビットマップは、特定アンテナポート個数で送信できるＣＳＩ−ＲＳパターンの各々に対応するリソースエレメントに対し、ミューティングを適用するか否かをビットマップ形式により表示することを特徴とする、請求項１に記載のＣＳＩ−ＲＳミューティング情報送信方法。
【請求項５】
前記第２データフィールドは、特定のアンテナポート個数を基準にミューティングされなければならないＣＳＩ−ＲＳパターンの各々を表示するための１６個のビット値で構成されることを特徴とする、請求項１に記載のＣＳＩ−ＲＳミューティング情報送信方法。
【請求項６】
前記第２データフィールドは、ミューティングパターンとリソース領域とを含むミューティンググループパターンを表し、前記ミューティングパターングループは特定のアンテナポート個数を基準に構成され、前記リソース領域は第２のデータフィールドのビットマップの値を基準にミューティングされることを特徴とする、請求項１に記載のＣＳＩ−ＲＳミューティング情報送信方法。
【発明の詳細な説明】
【技術分野】
【０００１】
本発明の実施形態は無線通信システムに関し、特に、無線通信システムにおけるチャネル状態情報−基準信号（Channel State Information-Reference Signal；以下、‘ＣＳＩ−ＲＳ’という）のリソース割当時、隣接セルとの干渉を避けることができるようにサービングセルのデータ送信のためのリソース空間（ＰＤＳＣＨ；Physical Downlink Shared Channel）のうち、全体または部分的なリソース領域にミューティング（muting）を実行し、ミューティングのためにミューティング情報を使用する方法及び装置に関する。
【背景技術】
【０００２】
通信システムが発展するに伴い、事業体及び個人などの消費者は非常に多様な無線端末機を使用するようになった。
【０００３】
現在の移動通信システムでは、音声中心のサービスから外れて、映像、無線データなどの多様なデータを送受信できる高速大容量の通信システムへと進歩している。有線通信ネットワークに準ずる大容量データを送信できる技術開発が求められているだけでなく、情報損失の減少を最小化し、システム伝達効率を上げることによって、システム性能を向上させることができる適切な誤り検出方式が必須の要素となった。
【０００４】
また、現在の多くの通信システムでは、アップリンクまたはダウンリンクを通じて通信環境などに関する情報を相対装置に提供するために、さまざまな基準信号（Reference Signal）が使われている。
【０００５】
例えば、移動通信方法の１つであるＬＴＥシステムでは、ダウンリンク（downlink）送信時、チャネル情報を把握するために参照信号または基準信号（Reference Signal）であるＣＲＳ（Cell-specific Reference Signal）を毎サブフレーム（subframe）毎に送信するようになる。
【０００６】
この際、ＣＲＳはＬＴＥシステムのダウンリンクでサポートする最大アンテナポート（antenna port）の数である４によって各々４個のアンテナに対して時間／周波数で互いに異なるように割り当てられて送信される。
【０００７】
現在開発中のＬＴＥ−Ａなどの次世代の通信技術では、ダウンリンクの場合、最大８個のアンテナをサポートすることができ、これによって、ダウンリンク送信時、チャネル情報を把握するためには、既存の４個のアンテナに対してのみ定義されているＣＲＳでは限界があり、このためにＣＳＩ−ＲＳ（Channel State Information-Reference Signal；以下、‘ＣＳＩ−ＲＳ’という）という参照信号を新しく定義して最大８個のアンテナに対するチャネル状態情報を把握するようになる。
【０００８】
言い換えると、送受信端の全てで最大８×８個の多重入力多重出力アンテナ（ＭＩＭＯ）を用いる通信システムが論議されており、端末が信号を受信または送信するアンテナポート（antenna port）またはレイヤ（layer）毎に異なるＣＳＩ−ＲＳが送信されなければならないが、現在ＣＳＩ−ＲＳに対する基本的な定義及びオーバーヘッド（overhead）は定まったが、具体的に各アンテナ／基地局（セル）別に該当ＣＳＩ−ＲＳパターンをリソース領域に割り当てて、送信する方法は定まっていない。
【０００９】
特に、１つの端末が多くの基地局またはセルからＣＳＩ−ＲＳを受信しなければならない通信環境では、いろいろな隣接セルからのＣＳＩ−ＲＳの間の干渉が発生する可能性もあるので、これに対する考慮も必要な実状である。
【発明の概要】
【発明が解決しようとする課題】
【００１０】
本発明の目的は、ＣＳＩ−ＲＳをアンテナポート別に時間−周波数リソース領域に割り当てて送信または受信する装置及び方法を提供することにある。
【００１１】
本発明の他の目的は、各セル（Cell）別のＣＳＩ−ＲＳをリソース割当するに当たって、他のセルのＣＳＩ−ＲＳ割当リソース領域にはデータを送信しないようにミューティング（muting）する技術を提供することにある。
【００１２】
本発明の更に他の目的は、ＣＳＩ−ＲＳを送信する時、データミューティング領域を表すミューティング情報を生成して送信及び受信する技術を提供することにある。
【００１３】
本発明の更なる他の目的は、隣接セルのＣＳＩ−ＲＳパターン、ＣＳＩ−ＲＳアンテナポート個数、ＣＳＩ−ＲＳ送信周期（duty Cycle）、ＣＳＩ−ＲＳ送信サブフレームオフセット情報のうちの１つ以上を考慮して、該当セルのリソース割当時、データを割り当てないミューティング領域を表すミューティング情報を生成して送信及び受信する技術を提供することにある。
【００１４】
本発明の更に他の目的は、ミューティング情報を送信し、ミューティング情報に基づいてミューティング領域にはデータを送らないようにＣＳＩ−ＲＳをリソース割当して送信及び受信する技術を提供することにある。
【００１５】
本発明の更に他の目的は、ミューティング情報を受信した後、それに基づいてミューティング領域を考慮してデコーディングすることで、チャネル状態を推定または取得する技術を提供することにある。
【課題を解決するための手段】
【００１６】
本発明の一実施形態は、マルチセル環境で特定セルが隣接セルのＣＳＩ−ＲＳ干渉を考慮したミューティング情報を送信する方法であって、前記方法は、上記隣接セルからＣＳＩ−ＲＳパターン、ＣＳＩ−ＲＳアンテナポート個数、ＣＳＩ−ＲＳ送信周期（duty cycle）、ＣＳＩ−ＲＳ送信サブフレームオフセット情報のうちの１つ以上を含む隣接セルのＣＳＩ−ＲＳ情報を受信し、上記隣接セルのＣＳＩ−ＲＳ情報に基づいて該当隣接セルのＣＳＩ−ＲＳと重畳してミューティングを必要とする時間／周波数領域であるミューティング領域を決定し、上記ミューティング領域が含まれるミューティングサブフレームの周期とオフセットを表す第１データフィールドと、上記ミューティングサブフレーム内でミューティングされなければならない特定ミューティングパターンを表すためのものであって、ミューティングを適用するか否かをビットマップ形式により表示する１２ビット以上２８ビット以下のｎビットのうちの１つのビット数を有する第２データフィールドを含むミューティング情報を生成し、前記生成された上記ミューティング情報を端末に送信することを含むミューティング情報伝達方法を提供する。
【００１７】
また、本発明の一実施形態は、受信装置が２つ以上のセルからＣＳＩ−ＲＳを受信した後、各セルのチャネル状態を取得する方法であって、前記方法が、２つ以上のセルのうち、サービングセルからミューティングサブフレームの周期とオフセットを表す第１データフィールドと、上記ミューティングサブフレーム内でミューティングされなければならない特定ミューティングパターンを表すためのものであって、ミューティングを適用するか否かをビットマップ形式により表示する１２ビット乃至２８ビットのうち、１つのビット数からなる第２データフィールドを含むミューティング情報を受信し、サービングセルのＣＳＩ−ＲＳ及びサービングセルのデータ送信のためのリソース空間のうち、上記ミューティング情報によりミューティングされた一部領域と相応する隣接セルのリソース領域から送信された隣接セルのＣＳＩ−ＲＳを受信し、上記ミューティング情報を用いて上記サービングセルのデータ送信のためのリソース空間でのミューティング領域を確認し、それに相応する隣接セルのＣＳＩ−ＲＳ送信領域を確認し、及び上記ミューティング領域を考慮して上記サービングセル及び隣接セルのＣＳＩ−ＲＳをデコーディングしてチャネル状態を取得することを含むチャネル状態取得方法を提供する。
【００１８】
本発明の他の実施形態は、マルチセル環境で１つ以上の隣接セルからＣＳＩ−ＲＳパターン、ＣＳＩ−ＲＳアンテナポート個数、ＣＳＩ−ＲＳ送信周期（duty Cycle）、ＣＳＩ−ＲＳ送信サブフレームオフセット情報のうち、１つ以上を含む隣接セルのＣＳＩ−ＲＳ情報を受信する隣接セル情報受信部と、上記隣接セルのＣＳＩ−ＲＳ情報に基づいてサービングセルのデータ送信のためのリソース空間で該当隣接セルのＣＳＩ−ＲＳと重畳してミューティングを必要とする時間／周波数領域であるミューティング領域を決定するミューティング領域決定部と、上記ミューティング領域を表し、かつミューティングサブフレームの周期とオフセットを表す第１データフィールドと、上記ミューティングサブフレーム内でミューティングされなければならない特定ミューティングパターンを表すためのものであって、ミューティングを適用するか否かをビットマップ形式により表示する１２ビット乃至２８ビットのうち、１つのビット数からなる第２データフィールドを含むミューティング情報を生成するミューティング情報生成部、及び生成されたミューティング情報を端末（ＵＥ）に送信するミューティング情報伝達部を含むＣＳＩ−ＲＳミューティング情報伝達装置を提供する。
【００１９】
本発明の他の実施形態では、２つ以上のセルのうち、サービングセルからミューティングサブフレームの周期とオフセットを表す第１データフィールドと、上記ミューティングサブフレーム内でミューティングされなければならない特定ミューティングパターンを表すためのものであって、ミューティングを適用するか否かをビットマップ形式により表示する１２ビット乃至２８ビットのうち、１つのビット数からなる第２データフィールドを含むミューティング情報を受信するミューティング情報受信部と、サービングセルのＣＳＩ−ＲＳ及びサービングセルのデータ送信のためのリソース空間のうち、上記ミューティング情報によりミューティングされた一部領域と相応する隣接セルのリソース領域から送信された隣接セルのＣＳＩ−ＲＳ信号を受信するＣＳＩ−ＲＳ受信部と、上記ミューティング情報を用いて上記サービングセルのデータ送信のためのリソース空間でのミューティング領域を確認し、それに相応する隣接セルのＣＳＩ−ＲＳ送信リソース領域を確認するミューティング領域確認部、及び上記ミューティング領域を考慮して上記サービングセル及び隣接セルのＣＳＩ−ＲＳ信号をデコーディングしてチャネル状態を取得するチャネル状態取得部を含むチャネル状態取得装置を提供する。
【発明の効果】
【００２０】
本発明によると、ＣｏＭＰセットなどのマルチセルをなす隣接セルのＣＳＩ−ＲＳパターン、各隣接セルのＣＳＩ−ＲＳアンテナポート数、時間／周波数の上のミューティング周期（periodあるいはcycle）、オフセットなどを考慮して、各状況に従って基地局が各端末（ＵＥ）に送るＣＳＩ−ＲＳ信号のリソース空間でミューティングを実行する部分に対するシグナリング情報、即ちミューティング情報を構成し送信することによって、効率的で、かつオーバーヘッドを最大限減らすことができる簡潔な方法を提供することができるという効果がある。
また、本発明によると、マルチセル環境でサービングセルが隣接セルのＣＳＩ−ＲＳと重複する領域をミューティングしたＣＳＩ−ＲＳを生成して送信することによって、正確なＣＳＩ−ＲＳデコーディングが可能であり、それによってチャネル状態推定を精密に実行することができるという効果がある。
【００２１】
【図面の簡単な説明】
【００２２】
【図１】本発明の一実施形態が適用される無線通信システムを概略的に示す図である。
【図２】図２乃至図１３は、１つのサブフレームにＣＳＩ−ＲＳマッピングする代表的な例を図示するものであって、図２乃至図５はＦＳ１（ＦＤＤ）及びＦＳ２（ＴＤＤ）全てに一般的に適用され、ノーマル（Normal）ＣＰの場合である。
【図３】図２乃至図５はＦＳ１（ＦＤＤ）及びＦＳ２（ＴＤＤ）全てに一般的に適用され、ノーマル（Normal）ＣＰの場合である。
【図４】図２乃至図５はＦＳ１（ＦＤＤ）及びＦＳ２（ＴＤＤ）全てに一般的に適用され、ノーマル（Normal）ＣＰの場合である。
【図５】図２乃至図５はＦＳ１（ＦＤＤ）及びＦＳ２（ＴＤＤ）全てに一般的に適用され、ノーマル（Normal）ＣＰの場合である。
【図６】図６乃至図９はＦＳ１（ＦＤＤ）及びＦＳ２（ＴＤＤ）全てに一般的に適用され、拡張（Extended）ＣＰの場合である。
【図７】図６乃至図９はＦＳ１（ＦＤＤ）及びＦＳ２（ＴＤＤ）全てに一般的に適用され、拡張（Extended）ＣＰの場合である。
【図８】図６乃至図９はＦＳ１（ＦＤＤ）及びＦＳ２（ＴＤＤ）全てに一般的に適用され、拡張（Extended）ＣＰの場合である。
【図９】図６乃至図９はＦＳ１（ＦＤＤ）及びＦＳ２（ＴＤＤ）全てに一般的に適用され、拡張（Extended）ＣＰの場合である。
【図１０】図１０乃至図１３はＦＳ２（ＴＤＤ）の場合、追加オプション（option）のＣＳＩ−ＲＳパターンの例を図示するものであって、図１０及び図１１はノーマルＣＰの場合である。
【図１１】図１０及び図１１はノーマルＣＰの場合である。
【図１２】図１２及び図１３は拡張ＣＰの場合である。
【図１３】図１２及び図１３は拡張ＣＰの場合である。
【図１４】本実施形態が適用されるマルチセル環境を示す図である。
【図１５】本実施形態によるＣＳＩ−ＲＳミューティング情報送信方法の流れを示す図である。
【図１６】本実施形態でミューティング情報を生成するステップの細部構成に対するフローチャートである。
【図１７】本実施形態によるミューティング情報を用いた端末でのチャネル情報取得方法を示すフローチャートである。
【図１８】本実施形態によるＣＳＩ−ＲＳミューティング情報伝達装置の構成図である。
【図１９】本実施形態によるミューティング情報のデータ形式の一例を示す図である。
【図２０】図１９のミューティング情報により実際サービングセルのＣＳＩ−ＲＳがミューティングされる状態を表示するフレーム及びリソース空間構成図である。
【図２１】本実施形態によるミューティング情報を用いたチャネル状態取得装置の構成図である。
【図２２】本発明の他の実施形態によるミューティング情報を生成するステップの細部構成に対するフローチャートである。
【図２３】図２２の実施形態によるミューティング情報を用いた端末でのチャネル情報取得方法を示すフローチャートである。
【図２４】図２２の実施形態によるミューティング情報のデータ形式の一例を示す図である。
【００２３】
【００２４】
【発明を実施するための形態】
【００２５】
以下、本発明の一部の実施形態を添付した図面を参照しつつ詳細に説明する。各図面の構成要素に参照符号を付加するに当たって、同一な構成要素に対してはたとえいろいろな図面上に表示されても、できる限り同一な符号を有するようにしていることに留意しなければならない。また、本発明を説明するに当たって、関連した公知構成または機能に対する具体的な説明が本発明の要旨を曖昧にすることができると判断される場合にはその詳細な説明は省略する。
【００２６】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質や回順序または順序などが限定されない。どの構成要素が他の構成要素に“連結”、“結合”、または“接続”されると記載された場合、その構成要素はその他の構成要素に直接的に連結、または接続できるが、各構成要素の間に更に他の構成要素が“連結”、“結合”、または“接続”されることもできると理解されるべきである。
【００２７】
図１は、本発明の実施形態が適用される無線通信システムを示す図である。
【００２８】
無線通信システムは、音声、パケットデータなどの多様な通信サービスを提供する。
【００２９】
図１を参照すると、無線通信システムは、ユーザ端末１０（User Equipment；以下、‘ＵＥ’という）及び基地局２０（Evolved-Node-B；以下、‘ｅＮｏｄｅＢ’という）を含む。ＵＥ１０とｅＮｏｄｅＢ２０は以下に説明する実施形態のようなミューティング情報生成技術と、それを用いたチャネル状態取得技術が適用され、これについては図２の以下を参考にして具体的に説明する。
【００３０】
本明細書でのＵＥ１０は、ＭＳ（Mobile Station）、ＵＴ（User Terminal）、ＳＳ（Subscriber Station）、無線機器（wireless device）などを含む用語である。
【００３１】
ｅＮｏｄｅＢまたはセル（cell）はＵＥと通信を実行する固定されたステーション（Fixed Station）であって、ノード−Ｂ（Node-B）、セクター（Sector）、サイト（Site）、ＢＴＳ（Base Transceiver System）、アクセスポイント（Access Point）、リレーノード（Relay Node）等、他の用語とも呼ばれる。
【００３２】
ｅＮｏｄｅＢは、ＣＤＭＡでのＢＳＣ（Base Station Controller）、ＷＣＤＭＡ（登録商標）の無線ネットワーク制御機（ＲＮＣ）などがカバーする一部領域または機能を表す包括的な意味として解釈されなければならない。また、メガセル、マクロセル、マイクロセル、ピコセル、フェムトセル、及びリレーノード（relay node）通信範囲など、多様なセルのカバレッジ領域を含むことができる。
【００３３】
本明細書において、アップリンク送信及びダウンリンク送信は互いに異なる時間を使用して送信されるＴＤＤ（Time Division Duplex）方式が使われることができ、または互いに異なる周波数を使用して送信されるＦＤＤ（Frequency Division Duplex）方式が使われることができる。
【００３４】
本発明の一実施形態は、無線通信システムを一例として説明し、ＧＳＭ（登録商標）、ＷＣＤＭＡ（登録商標）、ＨＳＰＡを経てＬＴＥ（Long Term Evolution）及びＬＴＥ-advancedに進化する非同期無線通信と、ＣＤＭＡ、ＣＤＭＡ−２０００、及びＵＭＢに進化する同期式無線通信分野などのリソース割当に適用できる。本発明は、特定の無線通信分野に限定または制限されて解釈されてはならず、本発明の思想が適用できる全ての技術分野を含むものと解釈されるべきである。
【００３５】
本発明の実施形態が適用される無線通信システムは、アップリンク及び／またはダウンリンクＨＡＲＱをサポートすることができ、リンク適応（link adaptation）のためにＣＱＩ（channel quality indicator）を使用することができる。また、ダウンリンクとアップリンク送信のための多重接続方式は互いに異なることがあり、例えば、ダウンリンクはＯＦＤＭＡ（Orthogonal Frequency Division Multiple Access）を使用し、アップリンクはＳＣ−ＦＤＭＡ（Single Carrier-Frequency Division Multiple Access）を使用することができることと同一である。
【００３６】
一方、本発明の一実施形態が適用される無線通信システムの一例では、１つのラジオまたは無線フレーム（Radio frame）は１０個のサブフレーム（Subframe）から構成され、１つのサブフレームは２つのスロット（slot）を含むことができる。
【００３７】
データ送信の基本単位はサブフレーム単位となり、サブフレーム単位でダウンリンクまたはアップリンクのスケジューリングがなされる。１つのスロットは時間領域で複数のＯＦＤＭシンボルを含むことができる。
【００３８】
例えば、サブフレームは２つのタイムスロットからなり、各タイムスロットは時間領域で７個または６個のＯＦＤＭシンボルを含むことができる。
【００３９】
このように、時間領域で１つのスロット及び周波数領域で１８０ＫＨｚに該当する１２個のサブキャリア（subcarrierまたは副搬送波）として定義される時間−周波数の領域をリソースブロック（Resource Block；ＲＢ）と呼ぶことができる。
【００４０】
本発明の実施形態に適用できる送信データの一般的なサブフレーム及びタイムスロット構造を説明すれば、次の通りである。
【００４１】
３ＧＰＰ ＬＴＥなどで、フレームの送信時間は１．０ｍｓ持続時間のＴＴＩ（送信時間間隔）で分けられる。“ＴＴＩ”及び“サブフレーム（sub-frame）”という用語は同一な意味として使われることができ、フレームは１０ｍｓ長さであって、１０個のＴＴＩを含む。
【００４２】
前述したように、ＴＴＩは基本伝送単位（basic transmission unit）であって、１つのＴＴＩは同一長さの２つのタイム−スロットを含み、各タイム−スロットは０．５ｍｓの持続時間を有する。タイム−スロットはシンボルに対する７個（または、６個）のロングブロック（long block：ＬＢ）を含む。ＬＢはサイクリックプレフィックス（cyclic prefixes：ＣＰ）に分離される。総合すれば、１つのＴＴＩまたはサブフレームは１４個（または、１２個）のＬＢシンボルを含むことができるが、本明細書はこのようなフレーム、サブフレーム、またはタイム−スロット構造に制限されるものではない。
【００４３】
各ＴＴＩまたはサブフレームは時間領域で１４個（または、１２個）のシンボル（軸）に分割される。各シンボル（軸）は１つのシンボルを運搬することができる。
【００４４】
また、２０ＭＨｚの全体システム帯域幅は相異する周波数のサブキャリアに分割または分けられ、１８０ＫＨｚに該当する１２個の連続するサブキャリアに分割して構成することがその例である。
【００４５】
例えば、１つのスロットの内で１０ＭＨｚの帯域幅は周波数領域で５０個のＲＢを含むことができる。
【００４６】
このような、時間領域で各シンボルと、周波数領域で各サブキャリアとから構成される時間−周波数領域の各格子空間はリソースエレメント（Resource Element；以下、“ＲＥ”という）と呼ぶことができ、上記のような構造の時間領域での１つのサブフレーム（１ＴＴＩ）と周波数軸に１２個のサブキャリアに該当する１つのリソースブロック（ＲＢ）対（pair）からなる時間−周波数の領域の各々には最大１４×１２＝１６８個（または、１２×１２＝１４４）のＲＥが存在することができる。
【００４７】
一方、ＬＴＥ通信システムではダウンリンクに多くの基準信号（Reference Signal RS）が定義されており、セル固有基準信号（Cell-specific Reference Signal；ＣＲＳ）と、ＭＢＳＦＮ基準信号（Multicast/Broadcast over Single Frequency Network Reference Signal；ＭＢＳＦＮ−ＲＳ）及び端末固有基準信号（UE-specific Reference Signal）などがそれである。
【００４８】
そのうち、ＣＲＳはＭＢＳＦＮ送信でないユニキャスト送信のための基準信号であって、ＭＢＳＦＮ送信をサポートしないセル内の全てのダウンリンクサブフレームに含まれて送信されなければならない。また、アンテナポート０乃至３のうちの１つまたは多数で送信されなければならない。
【００４９】
また、ダウンリンクアンテナポート毎に１つの基準信号が送信され、スロット内のアンテナポートのうちの１つのＣＲＳ送信のために使われるＲＥは同一なスロット内の他のアンテナポートのために使用できない。
【００５０】
４個のアンテナポート別に各々異なる時間−周波数領域のＲＥにＣＲＳをマッピングする場合、各アンテナポート別ＣＲＳが割り当てられるＲＥはサブキャリアに対して６の周期を有し、これを数式で表現すれば、次の通りである。
【００５１】
［数１］
【００５２】
0005952449.tif 000002
【００５３】
一方、前述したように、一部の次世代通信技術では、ダウンリンクの場合、最大８個のアンテナをサポートするようになり、したがって、ダウンリンク送信時、チャネル情報を把握するためには既存の４個のアンテナに対してのみ定義されているＣＲＳでは限界があり、このためにＣＳＩ−ＲＳという基準信号を新しく定義して最大８個のアンテナに対するチャネル状態情報を把握するようにすることができる。
【００５４】
現在、ＬＴＥ−Ａで論議されているＣＳＩ−ＲＳは、各セル（cell）に対して時間軸には送信周期（duty cycle）毎に、周波数軸には１つのリソースブロックに該当する１２個のサブキャリアの領域でアンテナポート別に１つのＲＥだけ割り当てられる。
【００５５】
即ち、最大８個のアンテナポートに対しては８個以下のＲＥだけ割り当てられて送信される。この際、上記一定周期は５個のサブフレームからなる５ｍｓの時間の倍数に該当する（即ち、５ｍｓや１０ｍｓなどが上記一定周期になることができる）。
【００５６】
もし、上記一定周期が５ｍｓであれば、１０ｍｓに該当する１つの無線フレーム（radio frame）内の１０個のサブフレームのうち、２つ以下のサブフレームにＣＳＩ−ＲＳは送信される。したがって、１つのサブフレームに対するＣＳＩ−ＲＳパターンのみ定義すれば、他のサブフレームに対しては一定周期で割り当てればよい。
【００５７】
本明細書では、このようなＣＳＩ−ＲＳの送信のための一定周期をＣＳＩ−ＲＳ送信周期（duty Cycle）と定義する。
【００５８】
一方、送受信端の全てで最大８×８個の多重入力多重出力アンテナ（ＭＩＭＯ）を用いる通信システムが論議されており、アンテナポート（antenna port）またはレイヤ（layer）毎に異なるＣＳＩ−ＲＳが送信されなければならないので、送信機は最大８個のアンテナポートに対するＣＳＩ−ＲＳを時間−周波数領域に区別されるように割当しなければならず、特に多重セル環境でセル別にも区分されるようにＣＳＩ−ＲＳを割り当てる必要がある。
【００５９】
この際、現在ＣＳＩ−ＲＳに対する基本的な定義及び上記の内容のように１つのサブフレームに対する各アンテナポート別オーバーヘッドは定まったが、具体的に各アンテナ／基地局（セル）別にＣＳＩ−ＲＳの割当及び送信方法は定まっていない。
【００６０】
図２乃至図１３は１つのサブフレームにＣＳＩ−ＲＳマッピングする代表的な例を示す図であって、サブフレームの構造（Frame Structure；以下、‘ＦＳ’という）と、サイクリックシフト（Cyclic Shift；以下、‘ＣＰ’という）のノーマルまたは拡張（Extended）と、アンテナポート個数（２、４、８個のうちの１つ）によって定義できるＣＳＩ−ＲＳパターンを例示する。
【００６１】
まず、図２乃至図５はＦＳ１（Frame Structure 1、ＦＤＤ）及びＦＳ２（Frame Structure 2、ＴＤＤ（Special Subframeは除外））全てに基本（必須）的（Mandatory）に適用され、ノーマルＣＰの場合のＣＳＩ−ＲＳパターンを図示する。
【００６２】
図２のように、１つのサブフレームに対し、ノーマルサブフレームの場合、最大１４個のシンボルのうち、既存に使われていたＣＲＳ、制御領域（Control Region）、ＤＭ−ＲＳ（Demodulation Reference Signal）Ｒｅｌ−９／１０領域位置を考慮して、それらと重複しないようにＣＳＩ−ＲＳをリソース割当することができ、図２で陰影が表示されないＲＥがＣＳＩ−ＲＳを割り当てることができる領域である。
【００６３】
図３乃至図５は、図２のようなリソース領域で、アンテナポートの個数によって可能なＣＳＩ−ＲＳのパターンを全て示す図であって、各ＣＳＩ−ＲＳパターンはアルファベット下付き添字により区分する。
【００６４】
図３のように、アンテナポートが８個（アンテナポート番号０乃至７）の場合、ａパターン乃至ｅパターンまで最大５種類のＣＳＩ−ＲＳパターンを有することができる。
【００６５】
図３の以下で、数字は各アンテナポートの番号であり、アルファベット下付き添字はＣＳＩ−ＲＳパターンまたはミューティングパターンを表す識別子である。
【００６６】
一方、ＣＳＩ−ＲＳアンテナポートの個数が８個でない２個、４個の場合のＣＳＩ−ＲＳパターンは、ＣＳＩ−ＲＳアンテナポート個数が８個の時のネステッド（nested）構造で構成される。
【００６７】
即ち、ＣＳＩ−ＲＳアンテナポート個数が４個の時のパターンは、ＣＳＩ−ＲＳアンテナポート個数が８個の時の各々の特定パターンの内で分けられたパターンで構成され、したがってパターンの最大個数はＣＳＩ−ＲＳアンテナポート個数が８個の時の２倍となる。ＣＳＩ−ＲＳアンテナポート個数が２個の時のパターンやはりＣＳＩ−ＲＳアンテナポート個数が４個の時の各々の特定パターンの内で分けられたパターンで構成され、したがってパターンの最大個数がＣＳＩ−ＲＳアンテナポート個数が４個の時の２倍となる。
【００６８】
例えば、図３乃至図５のように、１つのサブフレームの内でノーマルＣＰの場合に対して基本的に適用されるＣＳＩ−ＲＳパターンは、ＣＳＩ−ＲＳアンテナポート個数が８個の場合に５種類（図３のａ乃至ｅ）であり、ＣＳＩ−ＲＳアンテナポート個数が４個の時はその２倍である１０種類（図４のａ乃至ｊ）であり、ＣＳＩ−ＲＳアンテナポート個数が２個の時は２０種類（図５のａ乃至ｔ）となる。
【００６９】
図６乃至図９は、ＦＳ１及びＦＳ２（Special Subframeは除外）全てに一般的に適用され、拡張（Extended）ＣＰの場合のＣＳＩ−ＲＳパターンを図示する。
【００７０】
図６のように、拡張ＣＰの場合には、ダウンリンクに使われる最大１２個のシンボルのうち、既存に使われていたＣＲＳ、制御領域、ＤＭ−ＲＳ Ｒｅｌ−９／１０領域の位置を考慮して、それらと重複しないようにＣＳＩ−ＲＳをリソース割当することができ、図７で陰影が表示されないＲＥがＣＳＩ−ＲＳを割り当てることができる領域である。
【００７１】
図７乃至図９は、図６のようなリソース領域で、アンテナポートの個数によって可能なＣＳＩ−ＲＳのパターンを全て図示したものであって、各ＣＳＩ−ＲＳパターンはアルファベット下付き添字により区分される。
【００７２】
図７のように、アンテナポートが８個（アンテナポート番号０乃至７）の場合、ａパターン乃至ｄパターンまで最大４種類のＣＳＩ−ＲＳパターンを有することができる。
【００７３】
また、アンテナポートが２個及び４個の場合には、図３乃至図５のような原理が適用できる。
【００７４】
即ち、図７乃至図９のように、１つのサブフレームの内で拡張ＣＰの場合に対して基本的に適用されるＣＳＩ−ＲＳパターンは、ＣＳＩ−ＲＳアンテナポート個数が８個の場合に４種類（図７のａ乃至ｄ）であり、ＣＳＩ−ＲＳアンテナポート個数が４個の時はその２倍である８種類（図４のａ乃至ｈ）であり、ＣＳＩ−ＲＳアンテナポート個数が２個の時は１６種類（図５のａ乃至ｐ）となる。
【００７５】
図１０乃至図１３は、ＦＳ２の場合、追加オプションとして適用されるＣＳＩ−ＲＳパターンの例を図示するものであって、図１０及び図１１はノーマルＣＰの場合であり、図１２及び図１３は拡張ＣＰの場合である。
【００７６】
図１０は、ＦＳ２の追加オプションの場合、ＣＳＩ−ＲＳを割り当てることができるリソース領域を図示するものであって、ノーマルサブフレームの場合、最大１４個のシンボルのうち、既存に使われていたＣＲＳ、制御領域、ＤＭ−ＲＳ Ｒｅｌ−９／１０領域、Ｒｅｌ−８のＤＭ−ＲＳ（UE-specific RS）領域の位置を考慮して、それらと重複しないようにＣＳＩ−ＲＳをリソース割当することができ、図１０で陰影が表示されないＲＥがＣＳＩ−ＲＳを割り当てることができる領域である。
【００７７】
図１１は、図１０のようなリソース領域で、アンテナポートの個数が８個の場合、可能なＣＳＩ−ＲＳのパターンを全て図示したものであって、ａパターン乃至ｃパターンまで最大３種類のＣＳＩ−ＲＳパターンを有することができる。
【００７８】
また、図示してはいないが、アンテナポートが２個及び４個の場合、前述したことと同一な原理によって、ＣＳＩ−ＲＳアンテナポート個数が４個の時はその２倍である６種類、ＣＳＩ−ＲＳアンテナポート個数が２個の時は１２種類のＣＳＩ−ＲＳパターンを有することができる。
【００７９】
図１２は、ＦＳ２の追加オプションの場合、ＣＳＩ−ＲＳを割り当てることができるリソース領域を図示するものであって、拡張ＣＰによるサブフレームの場合、最大１２個のシンボルのうち、既存に使われていたＣＲＳ、制御領域、ＤＭ−ＲＳ Ｒｅｌ−９／１０領域の位置を考慮して、それらと重複しないようにＣＳＩ−ＲＳをリソース割当することができ、図１２で陰影が表示されないＲＥがＣＳＩ−ＲＳを割り当てることができる領域である。
【００８０】
図１３は、図１２のようなリソース領域で、アンテナポートの個数が８個の場合、可能なＣＳＩ−ＲＳのパターンを全て図示したものであって、ａパターン乃至パターンまで最大７種類のＣＳＩ−ＲＳパターンを有することができる。また、図示してはいないが、アンテナポートが２個及び４個の場合、前述したことと同一な原理によって、ＣＳＩ−ＲＳアンテナポート個数が４個の時はその２倍である１４種類、ＣＳＩ−ＲＳアンテナポート個数が２個の時は最大２８種類のＣＳＩ−ＲＳパターンを有することができる。
【００８１】
説明の便宜のために、本明細書では、一般または追加か否かと、ＣＰのノーマルまたは拡張か否かと、アンテナポート個数（２、４、８個のうちの１つ）によって定義できる多数のＣＳＩ−ＲＳパターンの集合をＣＳＩ−ＲＳパターングループ（CSI-RS Pattern Group）またはミューティングパターングループ（Muting Pattern Group）と定義し、そのグループの内で実際に採択される１つの特定ＣＳＩ−ＲＳパターンをＣＳＩ−ＲＳパターンまたはミューティングパターン（Muting Pattern）と定義する。
【００８２】
しかしながら、このような用語に限定されるものではなく、同一または同等な概念を有する限り、他の表現や用語が使われることができる。
【００８３】
例えば、一般的にノーマルサブフレームに適用される場合であり、ＣＳＩ−ＲＳアンテナポートが８個（アンテナポート番号０乃至７）の場合（即ち、図３の場合）のａパターン乃至ｅパターンまで最大５種類のＣＳＩ−ＲＳパターンの各々は、ＣＳＩ−ＲＳパターングループまたはミューティングパターングループになることができ、そのうち、各ＣＳＩ−ＲＳアンテナポートの個数である２個、４個、８個によって実際のＣＳＩ−ＲＳ割当またはミューティングのために特定される１つのパターンがＣＳＩ−ＲＳパターンまたはミューティングパターンとして定義できる。
【００８４】
図１４は、協力型多重送受信システム（Cooperative MultiPoint Tx/Rx System；以下‘ＣｏＭＰ’という）などのようなマルチセル環境を図示している。
【００８５】
本発明が適用できるマルチセル環境はＣｏＭＰを含むが、それに限定されるものではなく、１つの端末が２つ以上のセルまたは基地局からＣＳＩ−ＲＳを受信しなければならない全ての場合を含むものと理解されるべきである。
【００８６】
マルチセル環境のうちの１つであるＣｏＭＰ無線通信システムでは、端末（ＵＥ）が１つまたは複数の基地局またはセルから同時に情報の送信を受けて、該当ユーザが現在、主な送受信をしているサービングセルだけでなく、隣接セル（neighbor cell）とも参照信号を送受信する必要がある通信システムでは、隣接セルのＣＳＩ−ＲＳはサービングセルより受信パワーが弱いので、サービングセルと隣接セルで同一な時間／周波数リソースで同時にＣＳＩ−ＲＳを送信する場合、あるいはサービングセルはデータを送信し、隣接セルはＣＳＩ−ＲＳを送信する場合、上記ユーザは隣接セルからのＣＳＩ−ＲＳは正しく検出し難くなる。
【００８７】
例えば、図１４では３個のセルであるセルＡ、セルＢ、セルＣがＣｏＭＰセットを成し、サービングセルであるセルＡの内の特定ＵＥはセルＡからのＣＳＩ−ＲＳだけでなく、セルＢとセルＣからのＣＳＩ−ＲＳも共に受けてチャネル状態情報を測定するようになる。この際、各々のセルはＣＳＩ−ＲＳパターンとして図２乃至図１３で定義されたパターンのうちの１つのパターンを有するようになる。
【００８８】
例えば、各セルがノーマルＣＰの一般的なＣＳＩ−ＲＳパターンにＣＳＩ−ＲＳアンテナポート８個を各々構成する場合、各セルは図３のような５個のパターンのうちの１つのパターンにＣＳＩ−ＲＳを送信するようになる。即ち、セルＡは５個のパターンのうちの１番目パターン、セルＢは５個のパターンのうちの２番目パターン、セルＣは５個のパターンのうちの４番目パターンがその例である。このパターンに関する情報はセルＩＤに基づいて暗示的（implicit）に決まることもでき、各基地局に対して上位端のスケジューリング及びシグナリングによって明示的（explicit）に定まることもできる。
【００８９】
ここで、サービングセルであるセルＡでの立場から見ると、セルＡは５個のパターンのうち、セルＡに対するＣＳＩ−ＲＳパターンである１番目パターンに該当する領域ではＣＳＩ−ＲＳを送信し、他のセルに対するＣＳＩ−ＲＳパターンである２、３、４、５番目パターンに対してはデータを送信するようになる。セルＡのＵＥの立場から見ると、ＵＥは基地局であるセルＡから受けた情報のうち、１番目パターンに該当する領域にはセルＡのためのＣＳＩ−ＲＳが送信されることを知ってデコーディングするようになり、他の２、３、４、５番目パターンに該当する領域にはデータが送信されることを知ってデコーディングするようになる。
【００９０】
しかしながら、ＣｏＭＰのようなマルチセル環境では、２番目パターンに該当するリソース領域ではデータだけでなくセルＢからのＣＳＩ−ＲＳも受けなければならず、ＣＳＩ−ＲＳをデータより高い送信パワーで送るとしてもＵＥでより近いセルＡから来るデータ情報によって、より遠くあるセルＢからのＣＳＩ−ＲＳ情報は甚だしい干渉を受けることもあるようになる。したがって、セルＡにあるＵＥがセルＢからのＣＳＩ−ＲＳ情報を干渉無しで正しく受けるために、セルＡはセルＢでＣＳＩ−ＲＳを送信するようになるリソース領域に対してはデータを送らず、ゼロパワーで送信するミューティング（muting）を実行することができる。
【００９１】
また、このような場合、セルＡにあるＵＥ立場ではセルＢでＣＳＩ−ＲＳを送信するようになるリソース領域に対してはセルＡからデータが来ることでなく、ゼロパワーでミューティングされた情報が来るものであり、セルＢからＣＳＩ−ＲＳが来ることを知ってこれをデコーディングするようになる。
【００９２】
即ち、ＣｏＭＰのようなマルチセル環境を考慮して、各々のセル別にＣＳＩ−ＲＳパターンを構成する場合、隣接セルとの干渉の影響を減らすために、ＣｏＭＰセットをなす隣接セルでのＣＳＩ−ＲＳパターンに従うＣＳＩ−ＲＳが構成される部分に対してデータを送らず、ゼロパワーで送信するミューティングを実行することができるというものである。
【００９３】
図１４のように、サービングセルであるセルＡの立場から見ると、既存にセルＡがセルＡの内にあるＵＥに知らせる情報は、該当セルＡのＣＳＩ−ＲＳパターン、ＣＳＩ−ＲＳアンテナポート個数、ＣＳＩ−ＲＳ送信周期、及び送信オフセットでありうる。
【００９４】
しかしながら、サービングセルであるセルＡの内のＵＥは隣接セルのＣＳＩ−ＲＳと関連した上記情報に対しては知らない。このような状況で、マルチセル環境で隣接セルとの干渉の影響を減らすためにミューティングを実行する場合、サービングセルであるセルＡの内のＵＥは隣接セルでのＣＳＩ−ＲＳパターンが構成されるリソース領域に対してセルＡがデータを送信するか、ゼロパワーでミューティングするかを知らないので、デコーディング時に問題が生じることがある。
【００９５】
これを解決するために、本実施形態では各セルが可能な隣接セルのＣＳＩ−ＲＳパターンが構成されるＣＳＩ−ＲＳリソース領域に対してミューティングを行うか否かに関する情報、即ちミューティング情報を端末に送信してくれる技術を適用する。
【００９６】
このために、最も簡単な方法には、１ビットシグナリング（ＲＲＣ等を通じた上位端シグナリングであることもあり、ＰＤＣＣＨシグナリングであることもある）を通じて可能な隣接セルのＣＳＩ−ＲＳパターンが構成される部分に対して全てミューティングするか、ミューティングをしなくてデータを送るかに関する情報を知らせるものである。
【００９７】
即ち、例えば、各セルがノーマルＣＰの一般的なＣＳＩ−ＲＳパターンでＣＳＩ−ＲＳアンテナポート８個を各々構成する場合、各セルは図３に示す５個のパターンのうちの１つで構成され、サービングセルをセルＡという場合、セルＡでは各ＵＥに対してセルＡのためのＣＳＩ−ＲＳが送信される領域を除外した全ての残りのセルのためのＣＳＩ−ＲＳが送信される領域に対して１ビットシグナリングを通じて全てミューティングするか、ミューティングをしなくてデータを送るかに関する情報を知らせるものである。
【００９８】
しかしながら、全てミューティングする場合には、マルチセル環境で隣接セルとの干渉を減らすためにデータを送らない領域が必要以上に多いことがあるので、リソース浪費となり、全てミューティングをしなくてデータを送る場合には、隣接セルとの干渉の問題が存在するようになる。したがって、全ての可能なＣＳＩ−ＲＳパターンに対してミューティングするものでなく、必要な部分的な領域に対してのみミューティングを実行することが効率的であり、このような部分的な領域が何かに関する情報を基地局はＵＥにシグナリングしてくれる必要がある。
【００９９】
即ち、該当基地局は各ＵＥに隣接セルでのＣＳＩ−ＲＳが構成される部分のうち、データを送らず、ゼロパワーで送信（Zero-power Transmission）するミューティングを実行する部分がどの部分であるかに対してシグナリングしてくれるようになる。この際、シグナリングしてくれるようになるミューティング領域は、全体可能な隣接セルのＣＳＩ−ＲＳが構成される部分のうち、その全体または一部になることができ、ＣｏＭＰセットをなす隣接セルのＣＳＩ−ＲＳパターン、各隣接セルのＣＳＩ−ＲＳアンテナポート数、時間／周波数の上のミューティング周期（periodあるいはcycle）、オフセットなどを考慮して構成される。
【０１００】
より詳しくは、本実施形態によるミューティング情報伝達方法は、隣接セルからＣＳＩ−ＲＳパターン、ＣＳＩ−ＲＳアンテナポート個数、ＣＳＩ−ＲＳ送信周期、ＣＳＩ−ＲＳ送信サブフレームオフセット情報のうち、１つ以上を含む隣接セル情報を受信するステップと、隣接セル情報に基づいて該当隣接セルのＣＳＩ−ＲＳと重畳してミューティングを必要とする時間／周波数領域であるミューティング領域を決定するステップと、上記ミューティング領域を表し、かつミューティングサブフレームのミューティング周期とミューティングオフセットを表す第１データフィールドと、上記ミューティングサブフレーム内のミューティングパターングループと特定ミューティングパターンのうち、１つ以上を表す第２データフィールドを含むミューティング情報を生成するステップと、生成されたミューティング情報を端末に送信するステップとを含んで構成される。
【０１０１】
ミューティング情報を生成するステップは、また、ミューティング周期とミューティングオフセットを決定し、それを表示する第１データフィールドを生成する第１ステップと、１つのミューティングサブフレーム内のミューティングパターングループと特定ミューティングパターンのうち、１つ以上を表す第２データフィールドを生成する第２ステップとを含んで構成される。
【０１０２】
上記第１ステップは、上記ミューティングを必要とするミューティングサブフレームの位置と上記特定セルまたは隣接セルのＣＳＩ−ＲＳ送信周期及びＣＳＩ−ＲＳ送信オフセットの間の関係によって実行方式が決まり、これに対しては以下に詳細に説明する。
【０１０３】
したがって、本実施形態でのミューティング情報は、各隣接セル別に別途の値を有したり、統一された単一値を有することができ、ミューティング周期とミューティングオフセットを表す第１データフィールドと、１つのミューティングサブフレーム内のミューティングパターングループと特定ミューティングパターンのうちの１つ以上を表す第２データフィールドを含むことができる。
【０１０４】
図１５は、本実施形態によるＣＳＩ−ＲＳミューティング情報伝達方法の流れを示す図である。
【０１０５】
本実施形態によるＣＳＩ−ＲＳミューティング情報伝達方法は、マルチセル環境で現在端末にサービスを提供しているサービングセルまたはサービング基地局で実行されるものであるが、これに限定されるものではない。
【０１０６】
本実施形態によるＣＳＩ−ＲＳミューティング情報伝達方法は、隣接セルからＣＳＩ−ＲＳパターン、ＣＳＩ−ＲＳアンテナポート個数、ＣＳＩ−ＲＳ送信周期、ＣＳＩ−ＲＳ送信サブフレームオフセット情報のうち、１つ以上を含む隣接セル情報を受信するステップ（Ｓ１５０５）と、受信した隣接セル情報に基づいて該当隣接セルのＣＳＩ−ＲＳと重畳してミューティングを必要とする時間／周波数領域であるミューティング領域を決定するステップ（Ｓ１５１０）と、上記ミューティング領域を表し、かつミューティングサブフレームのミューティング周期とミューティングオフセットを表す第１データフィールドと、１つのミューティングサブフレーム内のミューティングパターングループと特定ミューティングパターンのうち、１つ以上を表す第２データフィールドを含むミューティング情報を生成するステップ（Ｓ１５１５）と、生成されたミューティング情報を端末に送信するステップ（Ｓ１５２０）とを含んで構成される。
【０１０７】
また、本実施形態によるＣＳＩ−ＲＳ伝達方法は、データ送信のためのリソース空間（ＰＤＳＣＨ：Physical Downlink Resource Channel）にリソースマッピング（Resource Element Mapping）時、上記決まったミューティング領域を考慮して、ミューティング領域にデータを送信しなくてゼロパワーで送信するミューティング過程を含んでリソースマッピングを実行し、これを端末に送信するステップ（Ｓ１５２５）をさらに含むこともできる。上記ステップＳ１５２５は、上記ミューティング情報を端末に送信するステップＳ１５２０の以後に構成され、ミューティング領域を決定するステップＳ１５１０やミューティング情報を生成するステップＳ１５１５の以後に構成されることもできる。
【０１０８】
ステップＳ１５０５では、該当基地局がミューティングの対象となる隣接基地局から、各隣接基地局で構成された１つのサブフレームの内のＣＳＩ−ＲＳパターン、ＣＳＩ−ＲＳアンテナポート個数、ＣＳＩ−ＲＳ送信サブフレームオフセット、ＣＳＩ−ＲＳ送信周期のうち、１つ以上に関する情報を含む隣接セル情報の送信を受けるようになる。この際、ミューティング対象となる隣接基地局（cell）は全ての異なるＣＳＩ−ＲＳパターンを有する隣接基地局（cell）になることもでき、図１４のようにサービングセル（図１４でのセルＡ）を除外したＣｏＭＰセットをなす一部の隣接基地局（図１４でのセルＢとセルＣ）であることもあり、その他のミューティングを実行するようになる対象となる１つ以上の隣接基地局（Cell）になることができる。
【０１０９】
ステップＳ１５０５は、基地局（cell）と基地局（cell）との間の情報伝達となり、Ｘ２インターフェースを介した情報伝達がその例になることができるが、それに限定されるものではない。
【０１１０】
ミューティング領域はサービングセルがデータ送信のためのリソース空間（ＰＤＳＣＨ）を割り当てる時、隣接セルのＣＳＩ−ＲＳが割り当てられる領域に対しては干渉が発生することがあるので、データを送信しなくてゼロパワーで送信する領域を意味し、ミューティング情報はその領域を指定するために使われる情報を意味する。
【０１１１】
図１６は、本発明の一実施形態におけるミューティング情報を生成するステップの細部構成に対するフローチャートである。
【０１１２】
図１５でのミューティング情報生成ステップ（Ｓ１５１５）は、ミューティング周期とミューティングオフセットを決定し、それを表示する第１データフィールドを生成する第１ステップ（Ｓ１６０５）と、１つのミューティングサブフレーム内のミューティングパターングループと特定ミューティングパターンのうち、１つ以上を表す第２データフィールドを生成する第２ステップ（Ｓ１６１０）とを含んで構成される。
【０１１３】
サービングセルに該当する基地局ではデータを送らず、ゼロパワーで送信するミューティング領域を表すミューティング情報を最大２ステップに亘って構成するようになり、上記２ステップのうちの第１ステップは、最も初めて実行されることもできるが、第２ステップを経た後、最後に構成されることもでき、第１ステップ及び第２ステップを経て構成された情報は端末（ＵＥ）にシグナリングされ、該当セルは上記ミューティング情報に基づいて該当ミューティング周期毎にミューティングオフセットに該当するサブフレームの内の、該当各隣接セルからのミューティングパターンに対してデータを送らず、ゼロパワーで送信するミューティングを実行するようになる。
【０１１４】
この際、端末に送信またはシグナリングされるようになるミューティング関連情報は、ＲＲＣなどの上位端シグナリングを通じて送信されることもでき、ＰＤＣＣＨを介して動的に送信されることもできる。
【０１１５】
サービングセルの内の端末はシグナリングされたミューティング情報を通じて知るようになったミューティング領域（即ち、データを送らず、ゼロパワーで送信するミューティングされた部分）を勘案してデコーディング（decoding）するようになる。仮に、ＵＥが該当ＰＤＳＣＨ領域にデータが入るか、データが入らず、ゼロパワーで送信するミューティングになるかを知らない場合（また、この時間／周波数リソース領域ではデータが入らず、隣接セルからのＣＳＩ−ＲＳが送信されるかを知らない場合）、デコーディング時、エラーや品質低下がなされることもあるが、前述したミューティング情報を勘案してデコーディングする場合、このような問題が発生しない。
【０１１６】
以下、ミューティング情報を構成する第１ステップ及び第２ステップの具体的な構成、即ちミューティング情報を構成する過程と構成される情報の類型及びビット数について詳細に説明する。
【０１１７】
●第１ステップ
【０１１８】
以下、ミューティング周期とミューティングオフセットを決定し、それを表示する第１データフィールドを生成する第１ステップの各場合について説明する。
【０１１９】
第１ステップは、ミューティングの対象となる各該当隣接セルのＣＳＩ−ＲＳ関連情報を考慮して、ミューティングの対象となるサブフレームを特定するものであって、ミューティング周期及びミューティングオフセットを通じてその情報を構成し、基地局は毎ミューティング周期毎に該当ミューティングオフセットで表現されるサブフレームの内でミューティングを実行する。
【０１２０】
この情報は全てのミューティング対象となる各該当隣接セルに対して同一な１つとして送信されることもでき（このような場合、ミューティング情報は全てのミューティングの対象となる隣接セルに対して同一であるので、１つのみ送信される）、全てのミューティング対象となる各該当隣接セル別に複数個に送信されることもできる（このような場合、ミューティング情報は全てのミューティングの対象となる隣接セルに対して異なることがあるので、ミューティングの対象となる隣接セルの個数だけ送信できる）。
【０１２１】
このような第１ステップは、ミューティング周期とミューティングオフセットがサービングセルのＣＳＩ−ＲＳ送信周期及びＣＳＩ−ＲＳ送信オフセットと如何なる関係にあるかによってまた５種類の場合に区分され、このような５種類を以下で１）乃至５）としてまた説明する。
【０１２２】
即ち、上記第１ステップは隣接セルとの干渉を考慮して、サービングセルのＣＳＩ−ＲＳうち、ミューティングを必要とするサブフレーム（即ち、ミューティングサブフレーム）がサービングセルまたは隣接セルのＣＳＩ−ＲＳ送信周期及びＣＳＩ−ＲＳ送信オフセットと如何なる関係にあるかによってさまざまに区別されて異に具現できる。
【０１２３】
ビット
【０１２４】
１）ミューティング送信周期（Muting duty cycle）及びミューティングオフセットがサービングセル（基地局）のＣＳＩ−ＲＳ送信周期及びＣＳＩ−ＲＳ送信オフセットと同一な場合（ミューティング周期及びミューティングオフセットがミューティング対象となる全ての隣接セルに対して同一な場合であり、以下に構成される情報はミューティング対象となる全ての隣接セルに対して同一な１つとして送信される）
【０１２５】
この場合、第１データフィールドを構成する情報ビット数は０ビットであることがある。
【０１２６】
この場合にはサービングセルがＣＳＩ−ＲＳを送信するサブフレームがミューティングの対象となるサブフレームとして判断するようになる。
【０１２７】
例えば、サービングセルのＣＳＩ−ＲＳ送信周期が１０ｍｓであり、送信オフセットが３の場合、４番目サブフレーム（subframe number 3）にＣＳＩ−ＲＳを送信するようになるが、この４番目サブフレームがミューティング対象となるサブフレームになるので、隣接セルのＣＳＩ−ＲＳが送信されるサブフレームを指定するために別途の情報が不要になる。
【０１２８】
【０１２９】
２）ミューティングオフセットがサービングセルのＣＳＩ−ＲＳ送信オフセットと同一であり、ミューティング周期がサービングセルのＣＳＩ−ＲＳ送信周期の倍数の場合（ミューティング周期及びミューティングオフセットがミューティング対象となる全ての隣接セルに対して同一な場合であり、以下に構成される情報はミューティング対象となる全ての隣接セルに対して同一な１つに送信されることを基本とする。しかしながら、より正確なミューティングのために、ミューティングオフセットはミューティング対象となる全ての隣接セルに対して同一であるが、ミューティング周期は各隣接セル別に互いに異なることがあり、以下に構成される情報は全てのミューティング対象となる各該当隣接セルに対して各々別に構成されて送信されることもできる）
【０１３０】
この場合には、また２種類の細部的な構成に区分されることができ、これを方法２−１、２−２、及び２−３に区分して説明する。
【０１３１】
２−１）方法２−１
【０１３２】
隣接セルの全てのＣＳＩ−ＲＳ構成サブフレームに対してミューティングするものでなく、ミューティングされることによってデータを送れないようになる領域を減らすために、隣接セルのＣＳＩ−ＲＳ構成サブフレームのうちの一部のみミューティングする。
【０１３３】
この際、第１データフィールドを構成する情報ビット数は、２ビット、４ビット、８ビット、・・・、２Ｍビット（Ｍは、自然数）でありうる。また、追加で
0005952449.tif 000003
ビットが必要であることもあるが、
0005952449.tif 000004
ビットは送信されないこともある。ここで、Ｍは自然数で、かつ２ＭはＣＳＩ−ＲＳ送信周期に対するミューティング周期の最大倍数値より等しいか大きくなるようにＭが決まる。
【０１３４】
例えば、最大倍数値が１６の場合、Ｍ＝４となり、この場合、第１データフィールドは２、４、８、１６ビットのうち、１つの値で構成されることができ、その構成ビットの個数を表示するために追加で
0005952449.tif 000005
ビットが必要であることがある。
【０１３５】
ここで、Ｍ＝４の場合、２ビット、４ビット、８ビット、あるいは１６ビットで構成される情報ビットのうち、各々のビットに対して０または１にビットマップ（bit map）されることができ、各々のビットはサービングセルの１つのＣＳＩ−ＲＳ送信周期に該当する。
【０１３６】
即ち、各々のＣＳＩ−ＲＳ送信周期の内のＣＳＩ−ＲＳ送信オフセットに該当するサブフレームに対し、そのビット値が０であればミューティングし、１であればデータを送信する方式になることができる（勿論、０の時にデータ送信、１の時にミューティングとして構成されることもできる）。
【０１３７】
また、第１データフィールドで構成される情報ビット数が何ビットであるかに対して
0005952449.tif 000006
ビットで別にシグナリングしてくれることもできる。仮に、Ｍ＝４の場合、別にシグナリングしたり、追加で含まれるビット数は２ビットとなり、そのビット値が‘００’であれば上記構成される情報ビット数は２ビット、‘０１’であれば４ビット、‘１０’であれば８ビット、‘１１’であれば１６ビットとなる。
【０１３８】
この場合、第１データフィールドを構成する情報ビットの各々のビット値に対してそのビット値が０の場合に対してのみサービングセルのＣＳＩ−ＲＳ送信周期の内のＣＳＩ−ＲＳ送信オフセットに該当するサブフレームがミューティングの対象となるサブフレームとして判断する。
【０１３９】
例えば、サービングセルのＣＳＩ−ＲＳ送信周期が１０ｍｓであり、オフセットが３の場合、４番目サブフレーム（subframe number 3）にＣＳＩ−ＲＳを送信するようになるが、この際、上記構成される情報ビット数が４ビットであり、０１０１の場合、最大４０ｍｓをなす４回の送信周期のうち、最初と３番目の送信周期の内のみでミューティングが実行され、その各々の送信周期の内の４番目サブフレームがミューティングの対象となるサブフレームになることと同一である。
【０１４０】
２−２）方法２−２
【０１４１】
この場合も隣接セルの全てのＣＳＩ−ＲＳ構成サブフレームに対してミューティングすることでなく、ミューティングされることによってデータを送れないようになる領域を減らすために、隣接セルのＣＳＩ−ＲＳ構成サブフレームのうちの一部のみミューティングするものであって、この際、第１データフィールドを構成するビット数は
0005952449.tif 000007
ビットでありうる。
【０１４２】
サービングセルのＣＳＩ−ＲＳ送信周期の倍数である特定周期と特定周期の内のオフセットを新しく定義し、この周期の内のオフセットに該当するサービングセルのＣＳＩ−ＲＳ送信周期に対してのみミューティングを実行する。
【０１４３】
例えば、Ｍ＝４の場合、サービングセルのＣＳＩ−ＲＳ送信周期の２倍、４倍、８倍、１６倍に該当する値により上記特定周期が決まり、２倍の時の２種類、４倍の時の４種類、８倍の時の８種類、１６倍の時の１６種類で、最大３０種類の場合に対して構成するようになり、ビットの総数は５ビットとなる。
【０１４４】
例えば、５ビットのビット値が０〜１の場合はサービングセルのＣＳＩ−ＲＳ送信周期の２倍の時のオフセット２種類、２〜５の場合にはサービングセルのＣＳＩ−ＲＳ送信周期の４倍の時のオフセット４種類、６〜１３の場合にはサービングセルのＣＳＩ−ＲＳ送信周期の８倍の時のオフセット８種類、１４〜２９の場合にはサービングセルのＣＳＩ−ＲＳ送信周期の１６倍の時のオフセット１６種類を表現するようになる。
【０１４５】
上記特定周期の内のオフセットに該当するサービングセルのＣＳＩ−ＲＳ送信周期に対してのみミューティングが進行され、残りに対してはミューティングが進行されない。即ち、上記特定周期とオフセットで表現されるサービングセルのＣＳＩ−ＲＳ送信周期の内のＣＳＩ−ＲＳ送信オフセットに該当するサブフレームがミューティングの対象となるサブフレームとして判断するものである。
【０１４６】
例えば、サービングセルのＣＳＩ−ＲＳ送信周期が１０ｍｓであり、オフセットが３の場合、４番目サブフレーム（subframe number 3）にＣＳＩ−ＲＳを送信するようになるが、この際、上記構成される情報ビット数が５ビットであり、０１０１０（ビット値が１０であり、これは特定周期が８倍であり、オフセットが５の場合に該当）場合、サービングセルのＣＳＩ−ＲＳ送信周期が１０ｍｓの８倍である８０ｍｓをなす８番の送信周期のうち、５番目送信周期の内のみでミューティングが実行され、その送信周期の内の４番目サブフレームがミューティングの対象となるサブフレームになることと同一である。
【０１４７】
２−３）方法２−３
【０１４８】
ミューティングオフセットはサービングセルのＣＳＩ−ＲＳ送信オフセットと同一であるので送信せず、ミューティング周期がサービングセルのＣＳＩ−ＲＳ送信周期の倍数の場合であるので、これだけ別に送信する方法である。例えば、ミューティング送信周期（duty cycle）がサービングセルのＣＳＩ−ＲＳ送信周期の１倍、２倍、４倍、８倍、１６倍の場合、この５種類の場合を３ビットで構成して送信するものである（上記では倍数値の種類を５種類の例として挙げたが、その倍数値の構成と個数は変わることがある。例えば、１倍、２倍、４倍、８倍の４種類で、２ビットで構成できるものであり、あるいは上記５種類の値より多い８個までの倍数値を各々の種類に構成し、これを３ビットで送信することもできる）。例えば、サービングセルのＣＳＩ−ＲＳ送信周期が１０ｍｓであり、オフセットが３の場合、４番目サブフレーム（subframe number 3）にＣＳＩ−ＲＳを送信するようになるが、この際、上記構成される情報ビット数が３ビットであり、０１０（ビット値が２であり、０００を１倍、００１を２倍、０１０を４倍、・・・のように構成する場合、これはサービングセル周期の４倍がミューティング周期であることを意味するようになる）の場合、サービングセルのＣＳＩ−ＲＳ送信周期である１０ｍｓの４倍である４０ｍｓがミューティング周期となり、ミューティングサブフレームオフセットはサービングセルのサブフレームオフセットと同一な３となる。
【０１４９】
【０１５０】
３）ミューティングオフセットがサービングセル（基地局）のＣＳＩ−ＲＳ送信オフセットと同一であるが、ミューティング周期がサービングセル（基地局）のＣＳＩ−ＲＳ送信周期と異なることもある場合（ミューティングオフセットはミューティングに対象となる全ての隣接セルに対して同一であるが、ミューティング周期は互いに異なることもある場合であり、以下に構成される情報は全てのミューティングに対象となる各該当隣接セルに対して各々別に送信されることを基本とする。しかしながら、ミューティングシグナリングのためのビットの総数を減らすために、ミューティング周期及びミューティングオフセットがミューティング対象となる全ての隣接セルに対して同一であることもあり、以下に構成される情報はミューティング対象となる全ての隣接セルに対して同一な１つとして送信されることもできる。）
【０１５１】
この場合にはまた２種類の細部的な構成に区分されることができ、これを方法３−１及び３−２に区分して説明する。
【０１５２】
３−１）方法３−１
【０１５３】
この場合、第１データフィールドで構成される情報ビットの数は、‘各々のミューティングの対象となる隣接セルの個数（Ｎ）×ミューティング周期の種類の個数によって定まる２ビットまたは３ビット（送信周期（duty cycle）の種類が４個以下の場合は２ビットであり、送信周期（duty cycle）の種類がそれより多いし、８個以下の場合は３ビットとなることもできる）’であることがあり、構成される情報ビット値によってミューティング周期を判断する。
【０１５４】
サービングセル（基地局）のＣＳＩ−ＲＳを送信オフセットをミューティング周期でモジューラした値に基づいてミューティングオフセットを判断して、各々のミューティングの対象となる該当隣接セル別にミューティング周期の内のミューティングオフセットに該当するサブフレームからミューティングの対象となるサブフレームを判断する。
【０１５５】
また、上記構成される情報ビットはミューティングの対象となる各々の該当隣接セルに対して各々別に構成される。
【０１５６】
例えば、ミューティングに対象となる特性セルの構成される情報ビット数が２ビットの場合、‘００’の場合はミューティング周期を５ｍｓ、‘０１’の場合はミューティング周期を１０ｍｓ、‘１０’の場合はミューティング周期を２０ｍｓ、‘１１’の場合はミューティング周期を４０ｍｓで構成することができる。仮に、８０ｍｓあるいはその以上の周期を構成するようになる場合には、そのビット数が３ビットになることができる。この際、構成されたビット値が‘１０’の場合、ミューティング周期は２０ｍｓとなる。また、サービングセルのＣＳＩ−ＲＳ送信オフセットが３の場合、毎２０ｍｓ毎に４番目サブフレーム（subframe number 3）がミューティングの対象となるサブフレームになることと同一である。
【０１５７】
３−２）方法３−２
【０１５８】
この場合は、第１データフィールドで構成される情報ビット数が‘各々のミューティングの対象となる隣接セルの個数（Ｎ）×２ビット（または、４ビット、８ビット、・・・、２Ｍビット）’であり、選択的に‘Ｎ×
0005952449.tif 000008
ビット’が追加的に含まれる。但し、‘Ｎ×
0005952449.tif 000009
ビット’は送信されないこともある。
【０１５９】
例えば、Ｍ＝４の場合、２ビット、４ビット、８ビット、あるいは１６ビットで構成される情報ビットのうち、各々のビットに対して０または１にビットマップ（bit map）される。これによって、各々のビットは送信周期（duty cycle）のうち、最も小さな値である５ｍｓ（あるいは、１０ｍｓ）に該当する。即ち、５ｍｓ（あるいは、１０ｍｓ）周期毎にサービングセル（基地局）のＣＳＩ−ＲＳ送信オフセットをモジューラ５（あるいは、１０）した値に該当するサブフレームに対してそのビット値が０であればミューティングし、１であればミューティングしなくてデータを送信する方式である（勿論、反対に０の時にデータ送信、１の時にミューティングに構成されることもできる）。
【０１６０】
また、構成される情報ビット数が何ビットなのかに対して
0005952449.tif 000010
ビットで別にシグナリングしてくれることもできる。仮に、Ｍ＝４であり、別にシグナリングしてくれることもできるビット数は２ビットとなり、そのビット値が‘００’であれば上記構成される情報ビット数は２ビット、‘０１’であれば４ビット、‘１０’であれば８ビット、‘１１’であれば１６ビットとなることと同一である。この場合、第１データフィールドで構成される情報ビットは、ミューティングの対象となる各々の該当隣接セルに対して各々別に構成できる。
【０１６１】
上記構成される情報ビットの各々のビット値に対してそのビット値が０の場合に対してのみ、５ｍｓ（あるいは、１０ｍｓ）に該当するミューティング周期毎にサービングセル（基地局）のＣＳＩ−ＲＳ送信オフセットをモジューラ５（あるいは、１０）した値に該当するサブフレームがミューティングの対象となるサブフレームとして判断するようになる。
【０１６２】
例えば、ミューティングに対象となる特性セルの構成される情報ビット数が４ビットであり、０１０１の場合、最大５ｍｓ＊４＝２０ｍｓをなす４番のミューティング送信周期（duty cycle）のうち、最初と３番目の送信周期（duty cycle）内のみでミューティングが実行され、サービングセル（基地局）のＣＳＩ−ＲＳ送信オフセットが８の場合（ＣＳＩ−ＲＳ送信周期は１０ｍｓ）、この値をモジューラ５した値に該当する３に該当する４番目サブフレーム（subframe number 3）がミューティングの対象となるサブフレームになることと同一である。
【０１６３】
【０１６４】
４）ミューティング周期がサービングセル（基地局）のＣＳＩ−ＲＳ送信周期と同一であるが、ミューティングオフセットがサービングセル（基地局）のＣＳＩ−ＲＳ送信オフセットと異なることもある場合（ミューティング周期はミューティングに対象となる全ての隣接セルに対して同一であるが、ミューティングオフセットは互いに異なることもある場合であり、以下に構成される情報は全てのミューティングに対象となる各該当隣接セルに対して各々別に送信される）
【０１６５】
この場合は第１データフィールドで構成される情報ビット数が‘各々のミューティングの対象となる隣接セルの個数（Ｎ）×２〜４ビット’の場合である。
【０１６６】
サービングセル（基地局）のＣＳＩ−ＲＳを送信周期をミューティング周期を判断し、各ミューティング周期の内で送信を受けたビット値でミューティングオフセットを判断する。例えば、ミューティング周期が５ｍｓの場合、ＰＳＳ／ＳＳＳが送信されるサブフレームを除外した残りの４個のサブフレームが２ビット情報で表現され、この値からミューティングオフセットを判断するようになる。ミューティング周期が１０ｍｓの場合、ＰＳＳ／ＳＳＳが送信されるサブフレームを除外した残りの８個のサブフレームが３ビット情報で表現され、ミューティング周期が２０ｍｓの場合、ＰＳＳ／ＳＳＳが送信されるサブフレームを除外した残りの１６個のサブフレームが４ビット情報で表現される。各々のミューティングの対象となる該当隣接セル別にミューティング周期の内のミューティングオフセットに該当するサブフレームからミューティングの対象となるサブフレームを判断する。
【０１６７】
上記構成される情報ビットはミューティングの対象となる各々の該当隣接セルに対して各々別に構成されることができる。
【０１６８】
例えば、ミューティングに対象となる特性セルの構成される情報ビット数が３ビットであり、その値が‘０１０’であるＰＳＳ／ＳＳＳを除外した４番目サブフレームである５番目サブフレームをミューティングオフセットとして判断する。サービングセル（基地局）のＣＳＩ−ＲＳを送信周期が１０ｍｓの場合、毎１０ｍｓ毎に５番目サブフレーム（subframe number４）がミューティングの対象となるサブフレームになることと同一である。
【０１６９】
【０１７０】
５）ミューティング周期及びミューティングオフセットがサービングセル（基地局）のＣＳＩ−ＲＳ送信周期及び送信オフセットと異なることもある場合（ミューティング周期及びミューティングオフセットが全てのミューティングに対象となる各該当隣接セルに対して互いに異なることもある場合であり、以下に構成される情報は全てのミューティングに対象となる各該当隣接セルに対して各々別に送信される）
【０１７１】
この場合は第１データフィールドで構成される情報ビット数が‘各々のミューティングの対象となる隣接セルの個数（Ｎ）×
0005952449.tif 000011
になる構成である。
【０１７２】
このような構成では、構成される情報ビット値によってミューティング周期及びミューティングオフセットを判断する。例えば、Ｍ＝３の場合、周期が５ｍｓ、１０ｍｓ、２０ｍｓの３種類に対してＰＳＳ／ＳＳＳを除外した各々４種類、８種類、１６種類のサブフレームオフセットを最大２８種類のケースで構成するようになり、ビットの総数は５ビットとなる。
【０１７３】
例えば、５ビットのビット値が０〜３の場合は周期が５ｍｓの時とそのサブフレームオフセット４種類、４〜１１の場合には周期が１０ｍｓの時とそのサブフレームオフセット８種類、１２〜２７の場合には周期が２０ｍｓの時とそのサブフレームオフセット１６種類を表現するようになる。Ｍ＝４の場合、周期が５ｍｓ、１０ｍｓ、２０ｍｓ、４０ｍｓの４種類に対してＰＳＳ／ＳＳＳを除外した各々４種類、８種類、１６種類、３２種類のサブフレームオフセットを最大６０種類のケースで構成するようになり、ビットの総数は６ビットとなる。
【０１７４】
例えば、６ビットのビット値が０〜３の場合は周期が５ｍｓの時とサブフレームオフセット４種類、４〜１１の場合には周期が１０ｍｓの時とサブフレームオフセット８種類、１２〜２７の場合には周期が２０ｍｓの時とサブフレームオフセット１６種類、２８〜５９の場合には周期が４０ｍｓの時とサブフレームオフセット３２種類を表現するようになる。各々のミューティングの対象となる該当隣接セル別にミューティング周期の内のミューティングオフセットに該当するサブフレームからミューティングの対象となるサブフレームを判断する。
【０１７５】
また、上記構成される情報ビットはミューティングの対象となる各々の該当隣接セルに対して各々別に構成されることができる。
【０１７６】
例えば、ミューティングに対象となる特性セルの構成される情報ビット数が５ビットであり、‘０１１０１’（ビット値が１３）の場合、ミューティング周期は２０ｍｓとなり、ミューティングオフセットは１となる（１２〜２７の場合には周期が２０ｍｓの時のサブフレームオフセット１６種類を表現するようになるので、即ち１２の時はオフセット０、１３の時はオフセットが１となる）。したがって、該当隣接セルに対しては毎２０ｍｓ毎にＰＳＳ／ＳＳＳを除外した２番目サブフレーム（subframe number 2、subframe number 0はＰＳＳ／ＳＳＳがマッピングされるサブフレーム）がミューティングの対象となるサブフレームになることと同一である。
【０１７７】
以上、図１５のミューティング情報のうち、第１データフィールドを構成する方式の例を説明したものであって、上記第１データフィールドが指示するミューティング周期やミューティングオフセットを構成する方法はこれに限定されるものではない。
【０１７８】
また、言及された各方式は各場合によって各々別に定まって適用されるものでなく、ＣＳＩ−ＲＳのためのシステム構成及び標準化された方法によって１つのみ選択されて適用され、各場合は他の場合を含むこともできる（例えば、上記の方法のうち、５番の方法は他の方法の場合を含めて一般化された場合とも見られる）。
【０１７９】
上記の方法でＰＳＳ／ＳＳＳが含まれるサブフレームを除外しなくて、１つの無線フレームの内の全てのサブフレームに対してオフセットを定義することもでき、この場合には構成されるビット数がもっと増えることもできる。例えば、上記の例で、Ｍ＝５の場合、ＰＳＳ／ＳＳＳが含まれるサブフレームを除いて最大１２４種類の場合として７ビットを構成したが、同一な方式により周期が５ｍｓ、１０ｍｓ、２０ｍｓ、４０ｍｓ、８０ｍｓの５種類に対して周期の内の全てのサーフフレームに対して各々５種類、１０種類、２０種類、４０種類、８０種類のサブフレームを最大１５５種類のケースで構成することができ、この際、ビットの総数は８ビットとなる。
【０１８０】
【０１８１】
●図１６実施形態の第２ステップ
【０１８２】
以下、１つのサブフレームの内のミューティングパターングループまたは直接的な特定ミューティングパターンを決定し、それを表示する第２データフィールドを生成する第２ステップの各場合について説明する。
【０１８３】
このような第２ステップではミューティングパターングループに関する情報無しで直ちに特定ミューティングパターンに関する情報を直接的に表すように第２データフィールドを構成する第２−１方式と、ミューティングパターングループのみを表すように第２データフィールドを構成する第２−２方式に区分されることができ、特定ミューティングパターンのみを表すようにする第２−１方式はまたＡ、Ｂ、及びＣ方式のうちの１つに細分できる。
【０１８４】
しかしながら、このような区分方式に限定されるものではなく、ミューティングサブフレーム内のミューティング領域を表すことができるように、ミューティングパターングループ及び特定のミューティングパターンのうちの１つ以上を表すことができるように第２データフィールドを構成する全ての方式を含むことができる。
【０１８５】
１）第２−１方式：ミューティングパターンのみを表すように第２データフィールドを構成
【０１８６】
通常的に、ミューティングパターングループに把握時、アンテナポートが２個または４個の時にもアンテナポートが８個で構成されたものと同一なものと見做して、よりミューティングされる領域がより大きくなるようになる。即ち、ミューティングされるＲＥは大きくなるが、ミューティング情報を構成し、シグナリングするオーバーヘッドは減少する。
【０１８７】
前述したように、第２−１方式ではミューティングパターンを直接的に把握するようになる時はミューティングパターングループを把握しなくて直ちにミューティングパターンを把握するようになる。
【０１８８】
ミューティングパターングループはＣＳＩ−ＲＳパターンのうち、ＣＳＩ−ＲＳアンテナポートが８の時と同一な８個のＲＥで構成されているパターングループである。
【０１８９】
ＦＳ１（ＦＤＤ）及びＦＳ２（ＴＤＤ）に全て基本的に適用され、ノーマルＣＰの場合のＣＳＩ−ＲＳに対しては、図３のように１つのサブフレームに対してＣＳＩ−ＲＳアンテナポート個数が８個の場合、最大５個のＣＳＩ−ＲＳパターンが定義されるので、ミューティングパターングループも５種類のうちの１つであり、拡張ＣＰに対しては図７のように１つのサブフレームに対してＣＳＩ−ＲＳアンテナポート個数が８個の場合、最大４個のＣＳＩ−ＲＳパターンが定義されるので、ミューティングパターングループも４種類のうちの１つである。
【０１９０】
図１１及び図１３のように、ＦＳ２（ＴＤＤ）で追加オプション（Option）として適用されるＣＳＩ−ＲＳに対しては、ノーマルＣＰに対しては１つのサブフレームに対してＣＳＩ−ＲＳアンテナポート個数が８個の場合、最大３個のＣＳＩ−ＲＳパターンが定義されるので、ミューティングパターングループも３種類のうちの１つであり、拡張ＣＰに１つのサブフレームに対してＣＳＩ−ＲＳアンテナポート個数が８個の場合、最大７個のＣＳＩ−ＲＳパターンが定義されるので、ミューティングパターングループも７種類のうちの１つである。
【０１９１】
このような条件下で第２−１方式を具現する３種類の細部的な方式Ａ乃至Ｃを以下に詳細に説明する。
【０１９２】
Ａ．ミューティングパターンを直ちに表示する方法１：各々のミューティングの対象となる隣接セル別に５−６ビットで構成する方式
【０１９３】
第２−１方式のうち、Ａ方式では第２データフィールドを構成する情報ビット数字は、ミューティングパターンの各々を表すための５ビットまたは６ビット×ミューティングの対象となる隣接セルの個数（Ｎ）でありうる。
【０１９４】
より詳しくは、ＦＳ１（ＦＤＤ）及びＦＳ２（ＴＤＤ）に全て基本的に適用され、ノーマルＣＰの場合のＣＳＩ−ＲＳに対しては、図３のように１つのサブフレームに対してＣＳＩ−ＲＳアンテナポート個数が８個の場合、最大５個のＣＳＩ−ＲＳパターンが定義されるので、最大ミューティングパターンの種類の数はアンテナポートが８個の場合は５種類、アンテナポートが４個の場合は１０種類、アンテナポートが２個の場合は２０種類である。したがって、最大３５種類のミューティングパターンを６ビットで表すように第２データフィールドを構成することができる。
【０１９５】
例えば、６ビットで表現される時のそのビット値である０~６３に対し、ビット値が０〜４の時はアンテナポートが８個の場合のミューティングパターン５種類、ビット値が５〜１４の時はアンテナポートが４個の場合のミューティングパターン１０種類、ビット値が１５〜３４の時はアンテナポートが２個の場合のミューティングパターン２０種類を表現し、残りのビット値である３５〜６３は予備（reserved）として残して置く式である。
【０１９６】
また、ＦＳ１（ＦＤＤ）及びＦＳ２（ＴＤＤ）に全て基本的に適用され、拡張ＣＰの場合のＣＳＩ−ＲＳに対しては、図７のように、１つのサブフレームに対してＣＳＩ−ＲＳアンテナポート個数が８個の場合、最大４個のＣＳＩ−ＲＳパターンが定義されるので、ミューティングパターンの種類の総数はアンテナポートが８個の場合は４種類、アンテナポートが４個の場合は８種類、アンテナポートが２個の場合は１６種類のである。したがって、最大２８種類のミューティングパターンを５ビットで表すように第２データフィールドを構成することができる。例えば、５ビットで表現される時のそのビット値である０〜３１に対し、ビット値が０〜３の時はアンテナポートが８個の場合のミューティングパターン４種類、ビット値が４〜１１の時はアンテナポートが４個の場合のミューティングパターン８種類、ビット値が１２〜２７の時はアンテナポートが２個の場合のミューティングパターン１６種類を表現し、残りのビット値である２８〜３１は予備（reserved）として残して置く式である。
【０１９７】
図１１及び図１３のように、ＦＳ２（ＴＤＤ）で追加オプション（Option）として適用されるＣＳＩ−ＲＳに対しては、ノーマルＣＰの場合、１つのサブフレームに対してＣＳＩ−ＲＳアンテナポート個数が８個の場合、最大３個のＣＳＩ−ＲＳパターンが定義されるので、ミューティングパターンの種類の総数はアンテナポートが８個の場合は３種類、アンテナポートが４個の場合は６種類、アンテナポートが２個の場合は１２種類である。したがって、上記のような方法により最大１９種類のミューティングパターンを５ビットで表すように第２データフィールドを構成することができる。
【０１９８】
上記ＦＳ２（ＴＤＤ）で追加オプション（optional）として適用されるＣＳＩ−ＲＳに対して、拡張ＣＰの場合には、１つのサブフレームに対してＣＳＩ−ＲＳアンテナポート個数が８個の場合、最大７個のＣＳＩ−ＲＳパターンが定義されるので、ミューティングパターンの種類の総数はアンテナポートが８個の場合は７種類、アンテナポートが４個の場合は１４種類、アンテナポートが２個の場合は２８種類である。したがって、上記のような方法により最大４９種類のミューティングパターンを６ビットで表すように第２データフィールドを構成することができる。このような第２データフィールドはミューティングの対象となる隣接セル別に各々異なるように構成できる。
【０１９９】
また、上記ではＦＳ１とＦＳ２に基本的（一般的）に適用される場合と、ＦＳ２のみにオプション（option）として適用される場合とを分けてミューティング情報を構成して送信したが、便宜性のために２種類の場合を合せて一度に構成して送信することもできる。例えば、ノーマルＣＰの場合、ＦＳ１とＦＳ２に基本的（一般的）に適用される場合、３５種類とＦＳ２のみにオプションとして適用される場合、２１種類を合せて５６種類を６ビットで構成して送信することもできる。この場合、ＦＳ２では言及したように、５６種類を６ビットで構成するが、ＦＳ１では基本的（一般的）に適用されるパターンのみ存在するので、これを場合して３５種類のみを６ビットで構成することもでき、ＦＳ１とＦＳ２の同一なシステム適用のためにＦＳ１でも５６種類を考慮して６ビットでミューティング情報を構成することもできる。
【０２００】
確定ＣＰの場合には、既にＦＳ２のみにオプション（option）として適用される場合のパターンがＦＳ１とＦＳ２に基本的（一般的）に適用される場合のパターンを含むので、上記のような方法にする場合、ＦＳ１とＦＳ２両方とも４９種類の場合を考慮して６ビットで上記ミューティング情報を構成することもできる。
【０２０１】
【０２０２】
Ｂ．ミューティングパターンを直ちに表示する方法２：各々のミューティングの対象となる隣接セル別に５ビットで構成する方式
【０２０３】
第２−１方式のうち、Ｂ方式では第２データフィールドを構成する情報ビット数字は‘５ビット×ミューティングの対象となる隣接セルの個数（Ｎ）’でありうる。
【０２０４】
より詳しくは、ＦＳ１（ＦＤＤ）及びＦＳ２（ＴＤＤ）に全て基本的に適用され、ノーマルＣＰの場合のＣＳＩ−ＲＳに対しては図３のように１つのサブフレームに対してＣＳＩ−ＲＳアンテナポート個数が８個の場合、最大５個のＣＳＩ−ＲＳパターンが定義されるので、ミューティングパターンの種類の総数はアンテナポートが８個の場合は５種類、アンテナポートが４個の場合は１０種類、アンテナポートが２個の場合は２０種類である。したがって、最大３５種類のミューティングパターンが定義されるが、ミューティングの対象となる隣接セルのＣＳＩ−ＲＳは最小限サービングセルが送信するＣＳＩ−ＲＳが含んだり含まれるパターンにはＣＳＩ−ＲＳを送信しないので、これを勘案して実質的なミューティングの対象となる隣接セルのミューティングパターンを定義することができる。
【０２０５】
例えば、サービングセルがアンテナポート８個にＣＳＩ−ＲＳを送信する場合、アンテナポート８個に対するこのＣＳＩ−ＲＳパターンはミューティングの対象となる隣接セルのＣＳＩ−ＲＳパターンになることができない。したがって、全体３５種類のうち、このサービングセルのＣＳＩ−ＲＳパターンが含む７種類（アンテナポートが８個の場合の該当サービングセルのＣＳＩ−ＲＳパターンが含むパターンは、アンテナポートが８個の場合は１種類のパターン、アンテナポートが４個の場合は２種類のパターン、及びアンテナポートが２個の場合は４種類のパターンであり、これを合せたパターンの種類の総数は７種類である）は、ミューティングの対象となる隣接セルのＣＳＩ−ＲＳパターンになることができず、残りの２８種類のミューティングパターンに対して５ビットに区分して表すように第２データフィールドを構成することができる。
【０２０６】
また、サービングセルがアンテナポート４個にＣＳＩ−ＲＳを送信する場合、アンテナポート４個に対するこのＣＳＩ−ＲＳパターンは、ミューティングの対象となる隣接セルのＣＳＩ−ＲＳパターンになることができない。したがって、全体３５種類のうち、このサービングセルのＣＳＩ−ＲＳパターンが含んだり含まれる４種類（アンテナポートが４個の場合の該当サービングセルのＣＳＩ−ＲＳパターンが含むパターンは、アンテナポートが４個の場合は１種類のパターン、及びアンテナポートが２個の場合の２種類のパターンである。また、上記アンテナポートが４個の場合の該当サービングセルのＣＳＩ−ＲＳパターンが含まれるパターンは、アンテナポートが８個であるパターンのうち、それを含む１種類のパターンである。したがって、これを合せたパターンの種類の総数は４種類である）は、ミューティングの対象となる隣接セルのＣＳＩ−ＲＳパターンになることができず、残りの３１種類のミューティングパターンに対して５ビットに区分して表すように第２データフィールドを構成することができる。
【０２０７】
また、サービングセルがアンテナポート２個にＣＳＩ−ＲＳを送信する場合、アンテナポート２個に対するこのＣＳＩ−ＲＳパターンは、ミューティングの対象となる隣接セルのＣＳＩ−ＲＳパターンになることができない。したがって、全体３５種類のうち、このサービングセルのＣＳＩ−ＲＳパターンが含まれる３種類（アンテナポートが２個の場合の該当サービングセルのＣＳＩ−ＲＳパターンが含むパターンは、アンテナポート２個の場合の１種類のパターンである。また、上記アンテナポートが２個の場合の該当サービングセルのＣＳＩ−ＲＳパターンが含まれるパターンは、アンテナポートが８個のパターンのうち、それを含む１種類のパターン及びアンテナポートが４個のパターンのうち、それを含む１種類のパターンである。したがって、これを合せたパターンの種類の総数は３種類である）は、ミューティングの対象となる隣接セルのＣＳＩ−ＲＳパターンになることができず、残りの３２種類のミューティングパターンに対して５ビットに区分して表すように第２データフィールドを構成することができる。
【０２０８】
また、ＦＳ１（ＦＤＤ）及びＦＳ２（ＴＤＤ）に全て基本的に適用され、拡張ＣＰの場合のＣＳＩ−ＲＳに対しては、図７のように、１つのサブフレームに対してＣＳＩ−ＲＳアンテナポート個数が８個の場合、最大４個のＣＳＩ−ＲＳパターンが定義される。この際、上記のような方法によりサービングセルがアンテナポート８個にＣＳＩ−ＲＳを送信する場合、全体２８種類のうち、７種類を除外した２１種類、サービングセルがアンテナポート４個にＣＳＩ−ＲＳを送信する場合、全体２８種類のうち、４種類を除外した２４種類、サービングセルがアンテナポート２個にＣＳＩ−ＲＳを送信する場合、全体２８種類のうち、３種類を除外した２５種類を５ビットに区分して表すように第２データフィールドを構成することができるが、前述した方式Ａのように、全体２８種類を５ビットにして情報を構成することもできる。
【０２０９】
この構成では図１０乃至１３の追加オプションとして適用されるＣＳＩ−ＲＳ構成の場合は除外する。
【０２１０】
上記構成される第２データフィールドは、ミューティングの対象となる隣接セル別に各々構成される。
【０２１１】
Ｃ．ミューティングパターンを直ちに表示する方法３：１２−２８ビットのビットマップで構成
【０２１２】
第２−１方式のうち、Ｃ方式では第２データフィールドを構成する情報ビットの数字は‘最大１２乃至２８ビット’のうちの１つのビット値で構成される。
【０２１３】
各場合における第２データフィールド構成を説明すれば、次の通りである。
【０２１４】
ＦＳ１（ＦＤＤ）及びＦＳ２（ＴＤＤ）に全て基本的に適用され、ノーマルＣＰの場合のＣＳＩ−ＲＳに対しては、図３のように１つのサブフレームに対してＣＳＩ−ＲＳアンテナポート個数が８個の場合、最大５個のＣＳＩ−ＲＳパターンが定義され、この場合、アンテナポートが２個の場合は２０種類のＣＳＩ−ＲＳパターンが存在する。
【０２１５】
これを２０ビットでビットマップにより構成する場合、ミューティングの対象となる隣接セルの個数に関わらず、実質的に１つのサブフレームの内でミューティングしなければならないＲＥに関する情報を構成できるようになる。
【０２１６】
即ち、２個のＲＥで構成されているアンテナポートが２個の場合に対する全体パターン２０個の各々に対し、ビットマップ情報が０の場合はミューティングし、１の場合はデータを送る式である（反対に、０の場合はデータを送り、１の場合はミューティングすることもできる）。仮に、ミューティングの対象となる隣接セルのＣＳＩ−ＲＳアンテナポートの個数が８個の場合は、ＣＳＩ−ＲＳアンテナポートの個数が２個の場合、４個からなっているので、この４種類に対するビットマップ値を全て０とすればよいという式である。また、ミューティングの対象となる隣接セルのＣＳＩ−ＲＳアンテナポートの個数が４個の場合は、ＣＳＩ−ＲＳアンテナポート個数が２個の場合、２個からなっているので、この２種類に対するビットマップ値を全て０とすればよいという式である。
【０２１７】
ＦＳ１（ＦＤＤ）及びＦＳ２（ＴＤＤ）に全て基本的に適用され、拡張ＣＰの場合のＣＳＩ−ＲＳに対しては、図７のように、１つのサブフレームに対してＣＳＩ−ＲＳアンテナポート個数が８個の場合、最大４個のＣＳＩ−ＲＳパターンが定義される。この際、アンテナポート２個にＣＳＩ−ＲＳを送信するパターンの種類の数は最大１６種類であるので、上記のような方法によりこれを１６ビットビットマップ情報として構成することができる。
【０２１８】
図１１のように、ＦＳ２（ＴＤＤ）で追加オプション（Option）として適用されるＣＳＩ−ＲＳに対しては、ノーマルＣＰの場合、１つのサブフレームに対してＣＳＩ−ＲＳアンテナポートの個数が８個の場合、最大３個のＣＳＩ−ＲＳパターンが定義される。この際、アンテナポート２個にＣＳＩ−ＲＳを送信するパターンの種類の数は最大１２種類であるので、上記のような方法によりこれを１２ビットのビットマップ情報として構成することができる。
【０２１９】
図１３のように、ＦＳ２（ＴＤＤ）で追加オプション（Option）として適用されるＣＳＩ−ＲＳに対しては、拡張ＣＰの場合、１つのサブフレームに対してＣＳＩ−ＲＳアンテナポートの個数が８個の場合、最大７個のＣＳＩ−ＲＳパターンが定義される。この際、アンテナポート２個にＣＳＩ−ＲＳを送信するパターンの種類の数は最大２８種類であるので、上記のような方法によりこれを２８ビットのビットマップ情報として構成することができる。
【０２２０】
また、上記ではＦＳ１とＦＳ２に基本的（一般的）に適用される場合と、ＦＳ２のみにオプションとして適用される場合とを分けてミューティング情報を構成して送信したが、便宜性のために２種類の場合を合せて一度に構成して送信することもできる。即ち、ノーマルＣＰの場合、ＦＳ１とＦＳ２に基本的（一般的）に適用される場合、２０種類とＦＳ２のみにオプションとして適用される場合、１２種類を合せて３２種類を３２ビットのビットマップに構成して送信することもできる。この場合、ＦＳ２では、言及したように、３２種類を３２ビットのビットマップで構成するが、ＦＳ１では基本的（一般的）に適用されるパターンのみ存在するので、これを２０種類のみで２０ビットのビットマップで構成することもでき、ＦＳ１とＦＳ２の同一なシステム適用のためにＦＳ１でも３２種類を考慮して３２ビットのビットマップでミューティング情報を構成することもできる。
【０２２１】
拡張ＣＰの場合には、既にＦＳ２のみにオプションとして適用される場合のパターンがＦＳ１とＦＳ２に基本的（一般的）に適用される場合のパターンを含むので、上記のような方法にする場合、ＦＳ１とＦＳ２両方とも２８種類の場合を考慮して２８ビットのビットマップで上記ミューティング情報を構成することもできる。
【０２２２】
【０２２３】
２）第２−２方式：ミューティングパターングループのみを表すように第２データフィールドを構成
【０２２４】
ミューティングパターングループのみを表すように第２データフィールドを構成する第２−２方式では、第２データフィールドは‘最大３乃至７ビット’（ＦＳ１（ＦＤＤ）及びＦＳ２（ＴＤＤ）に全て基本的に適用され、ノーマルＣＰの場合は５ビット）で構成される。
【０２２５】
このような第２−２方式にはアンテナポートの個数によってミューティングパターングループの内の特定のミューティングパターンのみをミューティングする方式でなく、定まるミューティングパターングループの内の全てのＲＥをミューティングする方式である。
【０２２６】
各場合における第２データフィールド構成を説明すれば、次の通りである。
【０２２７】
ＦＳ１（ＦＤＤ）及びＦＳ２（ＴＤＤ）に全て基本的に適用され、ノーマルＣＰの場合のＣＳＩ−ＲＳに対しては、図３のように、１つのサブフレームに対してＣＳＩ−ＲＳアンテナポート個数が８個の場合、最大５個のＣＳＩ−ＲＳパターンが定義される。この際、アンテナポートが８個にＣＳＩ−ＲＳを送信するパターンの種類の数は最大５種類であるので、これを５ビットでビットマップ情報として第２データフィールドを構成することができ、ミューティングの対象となる隣接セルの個数に関わらず、実質的に１つのサブフレームの内でミューティングしなければならないＲＥに関する情報を構成することができる。即ち、８個のＲＥで構成されているアンテナポートが８個の場合に対する全体パターン５種類の各々に対して５ビットビットマップで構成し、０の場合はミューティングし、１の場合はデータを送る式である（反対に、０の場合はデータを送り、１の場合はミューティングすることもできる）。
【０２２８】
このようにミューティングパターングループでミューティング領域を把握する場合には、ミューティングの対象となる各々の隣接セルがＣＳＩ−ＲＳをアンテナポート２個、４個の時に送る場合にも８個で構成されたものと同一なものと見做してミューティングするので、実質的に一層多い部分がミューティングの対象となる領域になる。
【０２２９】
即ち、ミューティングされるＲＥ領域は大きくなるので、データを送ることができる領域が減少する問題点はあるが、ミューティング情報を構成し、シグナリングするオーバーヘッドは減少する長所がある。
【０２３０】
ＦＳ１（ＦＤＤ）及びＦＳ２（ＴＤＤ）に全て基本的に適用され、拡張ＣＰの場合のＣＳＩ−ＲＳに対しては、図７のように、１つのサブフレームに対してＣＳＩ−ＲＳアンテナポートの個数が８個の場合、最大４個のＣＳＩ−ＲＳパターンが定義される。この際、アンテナポート８個にＣＳＩ−ＲＳを送信するパターンの種類の数は最大４種類であるので、上記のような方法によりこれを４ビットのビットマップ情報で第２データフィールドを構成することができる。
【０２３１】
図１１のように、ＦＳ２（ＴＤＤ）で追加オプション（Option）として適用されるＣＳＩ−ＲＳに対しては、ノーマルＣＰの場合、１つのサブフレームに対してＣＳＩ−ＲＳアンテナポートの個数が８個の場合、最大３個のＣＳＩ−ＲＳパターンが定義される。この際、アンテナポート８個にＣＳＩ−ＲＳを送信するパターンの種類の数は最大３種類であるので、上記のような方法によりこれを３ビットのビットマップ情報で第２データフィールドを構成することができる。
【０２３２】
図１３のように、ＦＳ２（ＴＤＤ）で追加オプション（Option）として適用されるＣＳＩ−ＲＳに対しては、拡張ＣＰの場合、１つのサブフレームに対してＣＳＩ−ＲＳアンテナポートの個数が８個の場合、最大７個のＣＳＩ−ＲＳパターンが定義される。この際、アンテナポート８個にＣＳＩ−ＲＳを送信するパターンの種類の数は最大７種類であるので、上記のような方法によりこれを７ビットのビットマップ情報で第２データフィールドを構成することができる。
【０２３３】
上記ではミューティングパターングループの内の特定のミューティングパターンのみをミューティングする方式でなく、定まるミューティングパターングループの内の全てのＲＥをミューティングする方式を適用し、この際、基準になるミューティングパターングループは８個のＣＳＩ−ＲＳアンテナポートを基盤としたが、これを４個のＣＳＩ−ＲＳアンテナポートを基盤とすることもできる。
【０２３４】
このように生成されたミューティング情報は、ＲＲＣなどの上位端シグナリングを通じて送信されることもでき、Ｌ１階層のＰＤＣＣＨを介して動的に送信されることもでき、場合によってはＬ２階層のＭＡＣを介してシグナリングされることもできる。
【０２３５】
本実施形態のミューティング領域決定及びミューティング情報生成は、本実施形態が適用される通信システムが如何なる仕様であるかによって前述したいろいろな場合のうちの１つ以上が選択的に採択される。
【０２３６】
例えば、通信システムの種類によって第１ステップ及び第２ステップを構成するいろいろな方式のうちの１つ以上を組み合わせて本発明を構成することができる。
【０２３７】
言い換えると、本発明は前述した第１ステップ及び第２ステップの各細部方式を全て採択するものでなく、通信システムの仕様やＣＳＩ−ＲＳの構成、ＣＳＩ−ＲＳパターン、ＣＳＩ−ＲＳアンテナポート個数、ＣＳＩ−ＲＳ送信周期、ＣＳＩ−ＲＳ送信サブフレームオフセットなどの種類によって第１ステップ及び第２ステップを構成するいろいろな方式のうちの１つ以上を組み合わせて構成することができる。
【０２３８】
図１７は、本実施形態によるミューティング情報を用いた端末でのチャネル情報取得方法を示すフローチャートである。
【０２３９】
本実施形態によるチャネル情報取得方法は、２つ以上のセル（基地局）からＣＳＩ−ＲＳ信号を受信してチャネル情報を取得するものであって、端末またはＵＥで実行されることが一般的であるが、それに限定されるものではない。
【０２４０】
本実施形態によるチャネル状態取得方法は、２つ以上のセルのうち、サービングセルからミューティング周期とミューティングオフセットを表す第１データフィールドと、１つのミューティングサブフレーム内のミューティングパターングループと特定ミューティングパターンのうちの１つ以上を表す第２データフィールドを含むミューティング情報を受信するステップ（Ｓ１７０５）と、ミューティングが考慮されたＣＳＩ−ＲＳを受信するステップ（Ｓ１７１０）と、上記ミューティング情報を用いて上記サービングセルのデータ送信のためのリソース空間でのミューティング領域を確認し、それに相応する隣接セルのＣＳＩ−ＲＳ送信領域を確認するステップ（Ｓ１７１５）と、上記ミューティング領域を考慮して上記サービングセル及び隣接セルのＣＳＩ−ＲＳをデコーディングしたり測定（estimation）してチャネル状態を取得するステップ（Ｓ１７２０）とを含んで構成される。
【０２４１】
ステップＳ１７１０で、ミューティングが考慮されたＣＳＩ−ＲＳを受信するということは、具体的にサービングセルのＣＳＩ−ＲＳ及びサービングセルのデータ送信のためのリソース空間（ＰＤＳＣＨ）のうち、上記ミューティング情報によりミューティングされた一部領域と相応する隣接セルのリソース領域から送信された隣接セルのＣＳＩ−ＲＳを受信することを意味する。
【０２４２】
Ｓ１７０５でのサービングセルから受信するミューティング情報は、隣接セルのＣＳＩ−ＲＳと重畳してデータを送ってはならない領域を表す情報であって、図２乃至１６と関連して説明した第１及び第２データフィールドで構成される。
【０２４３】
前述したステップＳ１７０５及びステップＳ１７１０は、場合によって順序が変わって構成されたり、１つに統合して具現されることもできる。
【０２４４】
サービングセル及び隣接セルから受信するＣＳＩ−ＲＳ信号は、既にＣＳＩ−ＲＳを送信するためにサービングセルで割り当てられた領域で生成された参照信号（サービングセルのＣＳＩ−ＲＳ）、あるいは前述したミューティング情報とマッチングされるようにサービングセルのデータの送信のためのリソース空間（ＰＤＳＣＨ）でデータを送らなかったり、ゼロパワーで送信するミューティングが適用された領域に相応する隣接セルのリソース領域で生成された参照信号（隣接セルのＣＳＩ−ＲＳ）である。
【０２４５】
Ｓ１７１５でのミューティング領域の確認過程は、受信したミューティング情報の第１データフィールド値を用いてミューティング周期とミューティングオフセットを確認することによって、ミューティング領域が存在するサブフレームを確定するステップと、第２データフィールド値を用いて該当ミューティングサブフレーム内でのミューティングパターングループまたは特定ミューティングパターンを決定するステップと、決まったミューティングパターングループまたはミューティングパターングループを用いてミューティング領域を決定するステップなどで構成されるが、それに限定されるものではない。
【０２４６】
ミューティング領域を考慮して上記サービングセル及び隣接セルのチャネル状態を取得するステップＳ１７２０は、端末がサービングセルから受信したデータをデコーディングする時、ミューティング領域であるＲＥに対してはデコーディング時に考慮しないなどの方式によりデコーディングするが、このミューティングされたリソース領域に相応する領域から受信された隣接セルのＣＳＩ−ＲＳ及び上記既受信されたサービングセルのＣＳＩ−ＲＳをデコーディングして参照信号を複号化した後、それからチャネル状態を測定して取得することができる。これで、ＣＳＩ−ＲＳのデコーディングの効率性を向上させることができるだけでなく、隣接セルのＣＳＩ−ＲＳとの干渉を排除することによって、各セルのＣＳＩ−ＲＳを正確に複号化することができ、したがって、正確なチャネル推定が可能になる。
【０２４７】
図１８は、本実施形態によるＣＳＩ−ＲＳミューティング情報伝達装置の構成図である。
【０２４８】
本実施形態によるＣＳＩ−ＲＳミューティング情報伝達装置は、マルチセル環境のサービングセルまたはサービング基地局の内部に具現されたり、それと連動して具現されることが一般的であるが、それに限定されるものではない。
【０２４９】
本実施形態によるＣＳＩ−ＲＳミューティング情報伝達装置は、マルチセル環境で１つ以上の隣接セルからＣＳＩ−ＲＳパターン、ＣＳＩ−ＲＳアンテナポート個数、ＣＳＩ−ＲＳ送信周期（duty Cycle）、ＣＳＩ−ＲＳ送信サブフレームオフセット情報のうち、１つ以上を含む隣接セル情報を受信する隣接セル情報受信部１８１０と、上記隣接セル情報に基づいて自身のリソース空間で該当隣接セルのＣＳＩ−ＲＳと重畳してミューティングを必要とする時間／周波数領域であるミューティング領域を決定するミューティング領域決定部１８２０と、上記ミューティング領域を表し、かつミューティング周期とミューティングオフセットを表す第１データフィールドと、１つのミューティングサブフレーム内のミューティングパターングループと特定ミューティングパターンのうち、１つ以上を表す第２データフィールドを含むミューティング情報を生成するミューティング情報生成部１８３０と、生成されたミューティング情報をＣＳＩ−ＲＳ受信する端末（ＵＥ）に送信するミューティング情報伝達部１８４０とを含んで構成される。
【０２５０】
隣接セル情報受信部１８１０は、ＣｏＭＰなどのようなマルチセル環境で特定端末に自身のＣＳＩ−ＲＳを送信しなければならない隣接セル（図１４のセルＢ及びセルＣ）から隣接セルの各々のＣＳＩ−ＲＳパターン、ＣＳＩ−ＲＳアンテナポート個数、ＣＳＩ−ＲＳ送信周期、ＣＳＩ−ＲＳ送信サブフレームオフセット情報のうち、１つ以上の情報を受信する機能を実行する。
【０２５１】
ミューティング領域決定部１８２０は、隣接セルから受信した隣接セル情報に基づいて自身のリソース空間で該当隣接セルのＣＳＩ−ＲＳと重畳してミューティングを必要とする時間／周波数領域であるミューティング領域を決定する機能を実行する。
【０２５２】
ミューティング情報生成部１８３０は、ミューティング領域決定部が決定したミューティング領域を表すことができるミューティング情報を生成するものであって、より詳しくは、図２乃至図１６と関連して説明したように、ミューティング周期とミューティングオフセットを表す第１データフィールドと、１つのミューティングサブフレーム内のミューティングパターングループと特定ミューティングパターンのうち、１つ以上を表す第２データフィールドを生成して結合することによって、最終的なミューティング情報を生成することができる。
【０２５３】
このような第１及び第２データフィールドは、図１６で説明したような第１ステップ及び第２ステップのいろいろな方式のうち、１つ以上を組み合わせた方式により決まることができ、重複を避けるために詳細な説明は省略する。
【０２５４】
このようなミューティング情報の一例として、もし本実施形態が適用される通信システムが以下のような条件を有する場合と仮定する。
【０２５５】
１）第１ステップの条件：ミューティングオフセットがサービングセル（基地局）のＣＳＩ−ＲＳ送信オフセットと同一（オフセットが３と仮定）であり、ミューティング周期がサービングセル（基地局）のＣＳＩ−ＲＳ送信周期の倍数であり、Ｍ＝４であり、第１データフィールドで構成される情報ビット数が何ビットであるかに対して
0005952449.tif 000012
＝２ビットで別にシグナリングしてくれる場合（結果的に、前述した第１ステップの２−１方式に該当する最大６ビット）
【０２５６】
２）第２ステップの条件：特定ミューティングパターンを直接的に表すように第２データフィールドを構成し、ＦＳ１（ＦＤＤ）及びＦＳ２（ＴＤＤ）に全て基本的に適用され、ノーマルＣＰの場合であり、該当隣接セルのＣＳＩ−ＲＳアンテナポートの個数が８個であり、最大３５種類のパターン（アンテナ８個の５種類、アンテナ４個の１０種類、アンテナ２個の２０種類）を６ビットで表すと仮定する場合（結果的に、前述した２ステップの２−１方式のうちのＡ方法に該当する；最大６ビットであり、アンテナ８個の場合のパターンｂがミューティングパターンであり、これを０００００１として表現すると仮定）
【０２５７】
このような条件でミューティング情報は、６ビットの第１データフィールドビット値と、６ビットの第２データフィールドビット値とから構成され、図１９のように構成される。
【０２５８】
即ち、図１９は本実施形態によるミューティング情報のデータ形式の一例を図示する。
【０２５９】
前述した第１及び第２ステップの条件を仮定する場合、本実施形態によるミューティング情報１９００は、１０１０１０の６ビットからなる第１データフィールド領域１９１０と、０００００１の６ビットからなる第２データフィールド領域１９２０とから構成される。
【０２６０】
各データフィールド値の意味を詳細に説明すれば、１０１０１０の６ビットである第１データフィールド値は、また構成ビット数（Ｍ＝４）を表す“１０”の２ビット値（ｌｏｇ２Ｍ＝２）と実際ミューティング周期とミューティングオフセットを表す“１０１０”の４ビット領域に分けられる。
【０２６１】
結果的に、第１データフィールド値である１０１０１０はサービングセルのＣＳＩ−ＲＳ送信周期（１０ｍｓ）の４倍である４０ｍｓのミューティング周期を有し、２番目及び４番目のＣＳＩ−ＲＳ送信周期の内にミューティングサブフレームが存在することを表示する（０がミューティングＯＮ、１がミューティングＯＦＦを意味することと仮定する場合）。また、第１ステップ条件に従ってミューティングオフセットは３であるので、２番目及び４番目のＣＳＩ−ＲＳ送信周期の内で４番目サブフレーム（サブフレームナンバーが３）がミューティングサブフレームになるという意味である。
【０２６２】
また、第２データフィールド値が０００００１であるので、ＦＳ１（ＦＤＤ）及びＦＳ２（ＴＤＤ）に全て基本的に適用され、ノーマルＣＰの場合、可能な最大３５種類のパターン（アンテナ８個の５種類、アンテナ４個の１０種類、アンテナ２個の２０種類）のうち、該当隣接セルのＣＳＩ−ＲＳアンテナポートの個数が８個に該当し、図３の最大５個のＣＳＩ−ＲＳパターンうち、２番目パターンであるパターンｂを表す（図３によるアンテナ８個のパターンａ乃至ｅを００００００、０００００１、００００１０、０００１１、０００１００として表示し、図４によるアンテナ４個のパターンａ乃至ｊを０００１０１、０００１１０、０００１１１、・・・、などの順に表示すると仮定する場合）。
【０２６３】
図１９のようなミューティング情報は、１つの隣接セルのみ考慮したものと仮定し、２つ以上の隣接セルの各々毎に別途にミューティング情報を構成する場合、隣接セルの個数（Ｎ）だけに該当するミューティング情報が各々生成される。
【０２６４】
図２０は、図１９のミューティング情報により実際サービングセルのＣＳＩ−ＲＳがミューティングされる状態を表示するフレーム及びリソース空間構成図である。
【０２６５】
図１９のミューティング情報によれば、２番目及び４番目のＣＳＩ−ＲＳ送信周期の内で４番目サブフレーム（サブフレームナンバーが３）がミューティングサブフレームとなり、そのサブフレームの内でリソース空間は図３のパターンｂに該当するＲＥ（図２０で濃い陰影で表示）がミューティング領域になることによって、その領域にはデータを割り当てらなかったり、ゼロパワーで送信するミューティングを実行するものである。これをフレーム構成図で表示すれば、図２０の通りである。
【０２６６】
図２１は、本実施形態によるミューティング情報を用いたチャネル状態取得装置の構成図である。
【０２６７】
本実施形態によるチャネル情報取得装置は、２つ以上のセル（基地局）からＣＳＩ−ＲＳ信号を受信してチャネル情報を取得するものであって、端末またはＵＥの内部に具現されたり、それと連動して構成されるものが一般的であるが、それに限定されるものではない。
【０２６８】
本実施形態によるチャネル状態取得装置は、２つ以上のセルのうち、サービングセルからミューティング周期とミューティングオフセットを表す第１データフィールドと、１つのミューティングサブフレーム内のミューティングパターングループと特定ミューティングパターンのうち、１つ以上を表す第２データフィールドを含むミューティング情報を受信するミューティング情報受信部２１１０と、上記サービングセル及び隣接セルからミューティングが考慮されたＣＳＩ−ＲＳ信号を受信するＣＳＩ−ＲＳ受信部２１２０と、上記ミューティング情報を考慮してデータ送信のためのリソース空間（ＰＤＳＣＨ）のうち、データが入らず（あるいは、ゼロパワーのデータが受信され）、ミューティングされたまま隣接セルのＣＳＩ−ＲＳ信号が送信されるミューティング領域を確認するミューティング領域確認部２１３０と、上記ミューティング領域を考慮して上記ＣＳＩ−ＲＳ信号をデコーディングしてチャネル状態を取得するチャネル状態取得部２１４０とを含んで構成される。
【０２６９】
サービングセルから受信するミューティング情報は、隣接セルのＣＳＩ−ＲＳと重畳してデータを送ってはならない領域を表す情報であって、図２乃至１６と関連して説明した第１及び第２データフィールドで構成される。
【０２７０】
ミューティング情報受信部２１１０は、前述した第１ステップ乃至第２ステップのいろいろな方式のうち、１つ以上の組み合わせた方式によりサービングセルが生成して送信するミューティング情報を受信する機能を実行し、ミューティング情報は図１９のような形式を有することができるが、それに限定されるものではない。
【０２７１】
ＣＳＩ−ＲＳ受信部２１２０は、上記サービングセル及び隣接セルからＣＳＩ−ＲＳ信号を受信する機能をし、サービングセル及び隣接セルから受信するＣＳＩ−ＲＳ信号は既にＣＳＩ−ＲＳを送信するためにサービングセルで割り当てられた領域で生成された参照信号（サービングセルのＣＳＩ−ＲＳ）、あるいは前述したミューティング情報とマッチングされるようにサービングセルのデータ送信のためのリソース空間（ＰＤＳＣＨ）でデータを送らなかったり、ゼロパワーで送信するミューティングが適用された領域に相応する隣接セルのリソース領域で生成された参照信号（隣接セルのＣＳＩ−ＲＳ）である。
【０２７２】
ミューティング領域確認部２１３０は、サービングセルから受信したミューティング情報を用いて上記サービングセルに対するミューティング領域を確認する機能を実行し、より詳しくは、受信したミューティング情報の第１データフィールド値を用いてミューティング周期とミューティングオフセットを確認することによって、ミューティング領域が存在するサブフレームを確定するステップと、第２データフィールド値を用いて該当ミューティングサブフレーム内でのミューティングパターングループまたは特定ミューティングパターンを決定するステップと、決まったミューティングパターンまたはミューティングパターングループを用いてミューティング領域を決定するステップなどで構成されるが、それに限定されるものではなく、例えば図１９及び図２０に図示した原理によってミューティング領域を確認することができる。
【０２７３】
チャネル状態取得部２１４０は、上記ミューティング領域を考慮して、端末がサービングセルから受信したデータをデコーディングする時、ミューティング領域であるＲＥに対してはデコーディング時に考慮しないなどの方式によりデコーディングし、このミューティングされたリソース領域に相応する隣接セルのリソース領域から受信された隣接セルのＣＳＩ−ＲＳ及び上記既受信されたサービングセルのＣＳＩ−ＲＳをデコーディングして参照信号を複号化した後、それからチャネル状態を測定して取得することができる。
【０２７４】
これで、ＣＳＩ−ＲＳのデコーディングの効率性を向上させることができるだけでなく、隣接セルのＣＳＩ−ＲＳとの干渉を排除することによって、各セルのＣＳＩ−ＲＳを正確に複号化することができ、したがって、正確なチャネル推定が可能になる。
【０２７５】
その他、本実施形態によるミューティング情報構成やそれを用いたチャネル状態取得技術では、図２乃至１６で説明した諸般方式または技術を用いることができ、説明の重複を避けるために詳細な説明は省略する。
【０２７６】
図２２は、本発明の他の実施形態によるミューティング情報を生成するステップの細部構成に対するフローチャートである。
【０２７７】
図２２の実施形態では、図１５でのミューティング情報生成ステップが、ミューティング送信周期（Muting Duty Cycle）とミューティングオフセットを決定し、それを表示する第１データフィールドを生成する第１ステップ（Ｓ２２０５）と、１つのサブフレームに対するミューティングパターングループ情報を決定し、それを表示する第２データフィールドを生成する第２ステップ（Ｓ２２１０）と、決まったミューティングパターングループの内の特定ミューティングパターンを決定し、それを表示する第３データフィールドを生成する第３ステップ（Ｓ２２１５）とを含んで構成される点で図１６の実施形態と相異する。
【０２７８】
即ち、図１６の実施形態では、サービングセルに該当する基地局ではデータを送らず、ゼロパワーで送信するミューティング領域を表すミューティング情報を最大２ステップに亘って構成したが、図２２による実施形態では、最大３ステップに亘って構成するようになり、上記３ステップのうちの第１ステップは最も初めて実行されることもできるが、第２、３ステップを経た後、最後に構成されることもでき、第１ステップ乃至第３ステップを経て構成された情報は端末（ＵＥ）にシグナリング（Signaling）され、該当セルは上記ミューティング情報に基づいて該当ミューティング周期毎にミューティングオフセットに該当するサブフレームの内の該当各隣接セルからのミューティングパターンに対してデータを送らず、ゼロパワーで送信するミューティングを実行するようになる。
【０２７９】
以下、ミューティング情報を構成する第１ステップ乃至第３ステップの具体的な構成、即ちミューティング情報を構成する過程と構成される情報の類型及びビット数について詳細に説明する。
【０２８０】
但し、図２２の実施形態で、ミューティング周期とミューティングオフセットを決定し、それを表示する第１データフィールドを生成する第１ステップは、図１６による実施形態の第１ステップと同一であるので、重複を避けるために説明を省略し、１つのサブフレームに対するミューティングパターングループ情報を決定し、それを表示する第２データフィールドを生成する第２ステップ（Ｓ２２１０）と、決まったミューティングパターングループの内の特定ミューティングパターンを決定し、それを表示する第３データフィールドを生成する第３ステップ（Ｓ２２１５）の細部構成に対してのみ以下に説明する。
【０２８１】
●図２２の実施形態の第２ステップ
【０２８２】
以下、ミューティングパターングループ情報を決定し、それを表示する第２データフィールドを生成する第２ステップ（Ｓ２２１０）の各場合について説明する。
【０２８３】
第２ステップは、１つのサブフレームの内のミューティングパターングループを表す第２データフィールドをミューティング情報で構成することを意味する。
【０２８４】
ミューティングパターングループは、ＣＳＩ−ＲＳパターンのうち、ＣＳＩ−ＲＳアンテナポートが８の時のような８個のＲＥで構成されているパターングループであり、ＦＳ１（Frame Structure 1、ＦＤＤ）及びＦＳ２（Frame Structure 2、ＴＤＤ（Special SubframeのＤｗＰＴＳは除外））に全て同一に適用される一般的な場合、ノーマルＣＰに対しては図３のように１つのサブフレームに対してＣＳＩ−ＲＳアンテナポートの個数が８個の場合、最大５個のＣＳＩ−ＲＳパターンが定義されるので、ミューティングパターングループも５種類のうちの１つであり、拡張ＣＰに対しては図７のように１つのサブフレームに対してＣＳＩ−ＲＳアンテナポートの個数が８個の場合、最大４個のＣＳＩ−ＲＳパターンが定義されるので、ミューティングパターングループも４種類のうちの１つである。
【０２８５】
図１１及び図１３のように、ＦＳ２（Frame Structure 2、ＴＤＤ（Special SubframeのＤｗＰＴＳは除外）で追加オプション（Option）として定義されるＣＳＩ−ＲＳパターンに対しては、ノーマルＣＰに対しては１つのサブフレームに対してＣＳＩ−ＲＳアンテナポートの個数が８個の場合、最大３個のＣＳＩ−ＲＳパターンが定義されるので、ミューティングパターングループも３種類のうちの１つであり、拡張ＣＰに１つのサブフレームに対してＣＳＩ−ＲＳアンテナポートの個数が８個の場合、最大７個のＣＳＩ−ＲＳパターンが定義されるので、ミューティングパターングループも７種類のうちの１つである。
【０２８６】
この場合、第２ステップを構成する第２データフィールド値は、通信システムがセルＩＤ基盤であるか、でなければパターングループＩＤ基盤であるかによって以下のように１）及び２）の場合に区分されて具現できる。
【０２８７】
１）セルＩＤ基盤
【０２８８】
この場合、第２データフィールドを構成する情報ビット数は０ビットでありうる。
【０２８９】
ミューティングの対象となる隣接セルのセルＩＤを知っている場合（例えば、ミューティングの対象となる隣接セルがＣｏＭＰセット（set）を成しており、このＣｏＭＰセット同士は互いにセルＩＤを既に知っている場合）、セルＩＤに基づいてミューティングの対象となる隣接セルのＣＳＩ−ＲＳパターンを知ることができ（セルＩＤに基づいてＣＳＩ−ＲＳアンテナポート８の場合のＣＳＩ−ＲＳパターンが定まる場合）、これを通じて各ミューティングの対象となる隣接セル別にミューティングパターングループを知ることができる。したがって、ミューティングパターングループを特定するために別途の追加データが不要になる。ミューティングパターングループがパターングループＩＤとして定義される２）の場合は、また２種類に細分され、これを各々方法２−１及び２−２という。
【０２９０】
２）パターングループＩＤ基盤
【０２９１】
２−１）方法２−１
【０２９２】
この場合、第２データフィールドを構成する情報ビット数は‘ミューティングの対象となる隣接セルの個数（Ｎ）×２〜３ビット’になることができる。
【０２９３】
方法２−１ではミューティングの対象となる隣接セルのＣＳＩ−ＲＳパターン（アンテナポート８個の場合に関するもの）をパターングループＩＤを通じて構成する場合であって、即ち、一般的な場合のノーマルＣＰに対しては図３のように１つのサブフレームに対してＣＳＩ−ＲＳアンテナポート個数が８個の場合、最大５個のＣＳＩ−ＲＳパターンが定義されるので、ミューティングパターングループも５種類のうちの１つであり、これを０〜４までにパターングループＩＤ化して３ビットで送信する。（３ビットのビット値のうち、残りの５〜７は予備（reserved）される）。
【０２９４】
仮に、一般的な場合の拡張ＣＰに対しては、図７のように１つのサブフレームに対してＣＳＩ−ＲＳアンテナポートの個数が８個の場合、最大４個のＣＳＩ−ＲＳパターンが定義されるので、ミューティングパターングループも４種類のうちの１つであり、これを０〜３までにパターングループＩＤ化して２ビットで送信する。
【０２９５】
図１１及び図１３のように、ＦＳ２（Frame Structure 2、ＴＤＤ（Special SubframeのＤｗＰＴＳは除外）で追加オプションとして定義されるＣＳＩ−ＲＳパターンに対しては、ノーマルＣＰに対しては１つのサブフレームに対してＣＳＩ−ＲＳアンテナポートの個数が８個の場合、最大３個のＣＳＩ−ＲＳパターンが定義されるので、ミューティングパターングループも３種類のうちの１つであり、これを０〜２までにパターングループＩＤ化して２ビットで送信し（２ビットのビット値のうち、残りの３は予備（reserved）される）、拡張ＣＰに１つのサブフレームに対してＣＳＩ−ＲＳアンテナポートの個数が８個の場合、最大７個のＣＳＩ−ＲＳパターンが定義されるので、ミューティングパターングループも７種類のうちの１つであり、これを０〜６までにパターングループＩＤ化して３ビットで送信する（３ビットのビット値のうち、残りの７は予備（reserved）される）。この構成される情報は、ミューティングの対象となる隣接セル別に各々構成される。
【０２９６】
上記ノーマルＣＰのＦＳ１では一般的な場合の５種類のパターンのみ存在するので、この５種類のパターンを３ビットで構成して送信する方法を言及した。また、ＦＳ２では一般的に定義される５種類のパターンとオプションとして定義される３個のパターンに対して各々異なる場合として定義し、これを３ビット及び２ビットで送信する方法を言及したが、２つの場合を全て合せて最大８種類のパターンに対して３ビットで構成して送信することもできる。
【０２９７】
２−２）方法２−２
【０２９８】
方法２−２では、第２データフィールドを構成する情報ビット数が‘ミューティングの対象となる隣接セルの個数（Ｎ）×２ビット’になることができる。
【０２９９】
方法２−２では、図１０乃至図１３のような追加オプションの場合は考慮せず、図２乃至図９の一般的な場合のみ考慮し、図３のようにノーマルＣＰに対しては１つのサブフレームに対してＣＳＩ−ＲＳアンテナポート個数が８個の場合、最大５個のＣＳＩ−ＲＳパターンが定義される。この際、サービングセルのＣＳＩ−ＲＳパターン（アンテナポートが８個の場合）を除外し、最大４個であり、これを２ビットで表現する。例えば、全体１つのサブフレームの内の可能なＣＳＩ−ＲＳパターン（アンテナポート８個の場合）が５個であり、ａ、ｂ、ｃ、ｄ、ｅの場合、サービングセルのＣＳＩ−ＲＳパターン（アンテナポートが８個の場合）がｃであれば、ビット値が‘００’であればその次のパターンであるパターンｄ、ビット値が‘０１’であれば次々のパターンであるパターンｅ、ビット値が‘１０’であればサイクリック（cyclic）に繰り越してパターンｅの次のパターンであるパターンａ、ビット値が‘１１’であればパターンａの次のパターンであるパターンｂがミューティングパターングループになることがその一例である。
【０３００】
また、図７のように拡張ＣＰに対しては、１つのサブフレームに対してＣＳＩ−ＲＳアンテナポートの個数が８個の場合、最大４個のＣＳＩ−ＲＳパターンが定義される。この４個の可能なＣＳＩ−ＲＳに対して本方法のノーマルＣＰの場合のような方式によりサービングセルのＣＳＩ−ＲＳパターン（アンテナポートが８個の場合）を除いて３個のミューティングパターングループを２ビット情報で構成することもでき、ＣＳＩ−ＲＳパターン（アンテナポートが８個の場合）を除外せず、４個のミューティングパターングループを２ビット情報で構成することもできる。この構成される情報はミューティングの対象となる隣接セル別に各々構成される。
【０３０１】
●図２２の実施形態の第３ステップ
【０３０２】
以下、決まったミューティングパターングループの内の特定ミューティングパターンを決定し、それを表示する第３データフィールドを生成する第３ステップ（Ｓ２２１５）の詳細な構成を説明する。
【０３０３】
このような第３ステップでは、１つのサブフレームの内のミューティングパターングループを把握した後、ミューティングの対象となる隣接セルのＣＳＩ−ＲＳ送信アンテナ数を考慮して、実質的にミューティングするようになる具体的な特定ミューティングパターンに関する情報を構成する過程である。
【０３０４】
この場合、第２ステップと同様に、第３データフィールドを構成するフィールド値は通信システムがセルＩＤ基盤の場合には０ビットであることがあり、ミューティングの対象となる隣接セルの正確なミューティングパターンをサービングセルのＵＥが予め知らない場合には３ビットの情報になることができる。
【０３０５】
以下、セルＩＤ基盤の場合と、ミューティングの対象となる隣接セルの正確なミューティングパターンをサービングセルのＵＥが予め知らない場合とを区分して、第３データフィールドの構成方式を説明する。
【０３０６】
１）セルＩＤ基盤
【０３０７】
この場合、第３データフィールドを構成する情報ビット数は０ビットであることがある。
【０３０８】
即ち、ミューティングの対象となる隣接セルのセルＩＤを既に知っている場合（例えば、ミューティングの対象となる隣接セルがＣｏＭＰセットを成しており、このＣｏＭＰセット同士は互いにセルＩＤを既に知っている場合）、セルＩＤに基づいてミューティングの対象となる隣接セルのＣＳＩ−ＲＳパターンを知ることができ、このＣＳＩ−ＲＳパターンがアンテナポート８の場合に対するグループ化されたパターンでなく、アンテナポート２、４の場合まで具体的に知ることができるパターンの場合、即ちセルＩＤに基づいてＣＳＩ−ＲＳパターンが各々アンテナポート２、４、８の場合に対して全て具体的に定まる場合、これを通じて各ミューティングの対象となる隣接セル別にミューティングパターングループだけでなく、具体的なミューティングパターンも知ることができる。したがって、アンテナポート個数に従うグループ内の特定ミューティングパターンを表すための追加データが不要になる。
【０３０９】
２）ミューティングの対象となる隣接セルの正確なミューティングパターンをサービングセルのＵＥが予め知らない場合
【０３１０】
この場合は、第３データフィールドを構成する情報ビットの数は３ビットであることがある。
【０３１１】
即ち、このような方式ではミューティングの対象となる隣接セルの正確なミューティングパターンをサービングセルのＵＥが予め知らない場合、サービングセルは該当ＵＥにこれを知らせなければならない。即ち、上記２ステップで決まったミューティンググループパターンに対して（それがセルＩＤ基盤でも、パターングループＩＤ基盤でも）、アンテナポート８個の場合には１種類の具体的なミューティングパターンがあり、アンテナポートが４個の場合には２種類の具体的なミューティングパターンがあり、アンテナポートが２個の場合には４種類の具体的なミューティングパターンがある。
【０３１２】
したがって、最大７種類の場合に対して３ビットを情報を構成するようになる。この構成される情報はミューティングの対象となる隣接セル別に各々構成される。
【０３１３】
このように生成されたミューティング情報は、ＲＲＣなどの上位端シグナリングを通じて送信されることもでき、Ｌ１階層のＰＤＣＣＨを介して動的に送信されることもでき、場合によってはＬ２階層のＭＡＣを介してシグナリングされることもできる。
【０３１４】
本実施形態のミューティング領域決定及びミューティング情報生成は、本実施形態が適用される通信システムが如何なる仕様であるかによって前述したいろいろな場合のうちの１つ以上が選択的に採択される。
【０３１５】
例えば、通信システムの種類によって第１ステップ乃至第３ステップを構成するいろいろな方式のうちの１つ以上を組み合わせて本発明を構成することができる。
【０３１６】
言い換えると、本発明は前述した第１ステップ乃至第３ステップの各細部方式を全て採択するものでなく、通信システムの仕様やＣＳＩ−ＲＳの構成、ＣＳＩ−ＲＳパターン、ＣＳＩ−ＲＳアンテナポート個数、ＣＳＩ−ＲＳ送信周期、ＣＳＩ−ＲＳ送信サブフレームオフセットなどの種類によって、第１ステップ乃至第３ステップを構成するいろいろな方式のうちの１つ以上を組み合わせて構成することができる。
【０３１７】
図２３は、図２２の実施形態によるミューティング情報を用いた端末でのチャネル情報取得方法を図示するフローチャートである。
【０３１８】
本実施形態によるチャネル情報取得方法は、２つ以上のセル（基地局）からＣＳＩ−ＲＳ信号を受信してチャネル情報を取得するものであって、端末またはＵＥで実行されることが一般的であるが、それに限定されるものではない。
【０３１９】
本実施形態によるチャネル状態取得方法は、２つ以上のセルのうち、サービングセルからミューティング情報を受信するステップ（Ｓ２３０５）と、ミューティングが考慮されたＣＳＩ−ＲＳを受信するステップ（Ｓ２３１０）と、上記ミューティング情報を用いて上記サービングセルのデータ送信のためのリソース空間でのミューティング領域を確認し、それに相応する隣接セルのＣＳＩ−ＲＳ送信領域を確認するステップ（Ｓ２３１５）と、上記ミューティング領域を考慮して上記サービングセル及び隣接セルのＣＳＩ−ＲＳをデコーディングまたは測定（estimation）して、チャネル状態を取得するステップ（Ｓ２３２０）とを含んで構成される。
【０３２０】
Ｓ２３０５でのサービングセルから受信するミューティング情報は、隣接セルのＣＳＩ−ＲＳと重畳してデータを送ってはならない領域を表す情報であって、図２乃至１５及び図２２と関連して説明した第１乃至第３データフィールドで構成される。
【０３２１】
前述したステップＳ２３０５及びステップＳ２３１０は、場合によって順序が変わって構成されたり、１つに統合して具現されることもできる。
【０３２２】
Ｓ２３１５でのミューティング領域の確認過程は、受信したミューティング情報の第１データフィールド値を用いてミューティング周期とミューティングオフセットを確認することによって、ミューティング領域が存在するサブフレームを確定するステップと、第２データフィールド値を用いて該当ミューティングサブフレーム内でのミューティングパターングループを決定するステップと、第３データフィールド値を用いて該当ミューティングパターングループの内の特定ミューティングパターンを決定するステップと、決まったミューティングパターンを用いてミューティング領域を決定するステップなどで構成されるが、それに限定されるものではない。
【０３２３】
その他、図２３のステップＳ２３１０、ステップＳ２３２０などは、前述した図１７の該当ステップと同一であるので、重複を避けるために説明を省略する。
【０３２４】
また、図２２の実施形態が適用される場合、ＣＳＩ−ＲＳミューティング情報伝達装置の構成は、図１８の場合と同一で、但し、ミューティング情報生成部１８３０の機能のみ一部相異する。
【０３２５】
即ち、図２２の実施形態が適用される場合、ＣＳＩ−ＲＳミューティング情報伝達装置のミューティング情報生成部は、ミューティング領域決定部が決定したミューティング領域を表すことができるミューティング情報を生成するものであって、より詳しくは、図２乃至図１５、及び図２２と関連して説明したように、ミューティング周期とミューティングオフセットを表示する第１データフィールドと、１つのミューティングサブフレームに対するミューティングパターングループ情報を表示する第２データフィールドと決まったミューティングパターングループの内の特定ミューティングパターンを表示する第３データフィールドを生成して結合することによって、最終的なミューティング情報を生成することができる。
【０３２６】
このような第１乃至第３データフィールドは前述したような第１ステップ、図２２の実施形態の第２及び第３ステップのいろいろな方式のうちの１つ以上を組み合わせた方式により決まり、重複を避けるために詳細な説明は省略する。
【０３２７】
図２２の実施形態によるミューティング情報の一例として、もし本実施形態が適用される通信システムが以下のような条件を有する場合と仮定する。
【０３２８】
１）第１ステップの条件：ミューティングオフセットがサービングセル（基地局）のＣＳＩ−ＲＳ送信オフセットと同一（オフセットが３と仮定）であり、ミューティング周期がサービングセル（基地局）のＣＳＩ−ＲＳ送信周期の倍数であり、Ｍ＝４であり、第１データフィールドで構成される情報ビット数が何ビットであるかに対して
0005952449.tif 000013
＝２ビットで別にシグナリングしてくれる場合（結果的に、前述した第１ステップの２−１方式に該当する、最大６ビット）。
【０３２９】
２）第２ステップの条件：パターングループＩＤ基盤であり、ＣＳＩ−ＲＳアンテナポートの個数が８個の場合、最大５個のＣＳＩ−ＲＳパターンが定義される場合、ミューティングパターングループも５種類のうちの１つであり、そのうち、パターンｂ（００１と表示）がミューティングパターングループである時（前述した第２ステップの２−１に該当する、最大３ビット）
【０３３０】
３）第３ステップの条件：ミューティングの対象となる隣接セルの正確なミューティングパターンをサービングセルのＵＥが予め知らない場合であり、ミューティングＣＳＩ−ＲＳアンテナポート個数が８個である（０００と表示、最大３ビット）
【０３３１】
このような条件でミューティング情報は、６ビットの第１データフィールドのビット値と、各々３ビットの第２及び第３データフィールドのビット値で構成され、図２４のように構成される。
【０３３２】
即ち、図２４は図２２の実施形態によるミューティング情報のデータ形式の一例を図示する。
【０３３３】
前述した第１乃至第３ステップの条件を仮定する場合、本実施形態によるミューティング情報２４００は、１０１０１０の６ビットからなる第１データフィールド領域２４１０と、００１の３ビットからなる第２データフィールド領域２４２０と、０００の３ビットからなる第３データフィールド領域２４３０とから構成される。
【０３３４】
各データフィールド値の意味を詳細に説明すれば、１０１０１０の６ビットである第１データフィールド値は、また構成ビット数（Ｍ＝４）を表す“１０”の２ビット値（ｌｏｇ２Ｍ＝２）と実際のミューティング周期とミューティングオフセットを表す“１０１０”の４ビット領域に分けられる。
【０３３５】
結果的に、第１データフィールド値である１０１０１０は、サービングセル（サービングセル）のＣＳＩ−ＲＳ送信周期（１０ｍｓ）の４倍である４０ｍｓのミューティング周期を有し、２番目及び４番目ＣＳＩ−ＲＳ送信周期の内にミューティングサブフレームが存在することを表示する（０がミューティングＯＮ、１がミューティングＯＦＦを意味するものと仮定する場合）。また、第１ステップ条件に従ってミューティングオフセットは３であるので、２番目及び４番目のＣＳＩ−ＲＳ送信周期の内で４番目サブフレーム（サブフレームナンバーが３）がミューティングサブフレームになるという意味である。
【０３３６】
また、第２データフィールド値が００１であるので、ＣＳＩ−ＲＳアンテナポート個数が８個に該当する図３の最大５個のＣＳＩ−ＲＳパターンのうち、２番目パターンであるパターングループであるｂを表す（パターングループａ乃至ｅを各々０００、００１、０１０、０１１、１００として表すものと仮定する場合）。
【０３３７】
また、第３データフィールド値が０００であるので、ＣＳＩ−ＲＳアンテナポート個数が８個であり、したがって、図４乃至図５でなく、図３のパターンｂに最終ミューティングパターンが決まることを意味する。
【０３３８】
図２４のようなミューティング情報は、１つの隣接セルのみ考慮したことと仮定し、２つ以上の隣接セルの各々毎に別途にミューティング情報を構成する場合、隣接セルの個数（Ｎ）が乗じられた値でミューティング情報が生成できる。
【０３３９】
図２４のミューティング情報により実際のサービングセルのＣＳＩ−ＲＳがミューティングされる状態を表示するフレーム及びリソース空間構成は、図１９と関連して図示した図２０と同一である。
【０３４０】
図２４のミューティング情報によれば、２番目及び４番目のＣＳＩ−ＲＳ送信周期の内で４番目サブフレーム（サブフレームナンバーが３）がミューティングサブフレームとなり、そのサブフレームの内でリソース空間は図３のパターンｂに該当するＲＥ（図２０で濃い陰影で表示）がミューティング領域になることによって、その領域にはデータを割り当てらなかったり、ゼロパワーで送信するミューティングを実行するものである。これをフレーム構成図にて表示すれば、図２０の通りである。
【０３４１】
また、図示してはいないが、図２２の実施形態によるミューティング情報を用いたチャネル状態取得装置の構成は、図２１と同一であり、但し、サービングセルから受信するミューティング情報が図２乃至図１５、及び図２２と関連して説明した第１乃至第３データフィールドで構成されるという点のみ相異する。
【０３４２】
また、図２２の実施形態によるミューティング情報を用いたチャネル状態取得装置のミューティング情報受信部は、前述した第１ステップ乃至第３ステップにより生成されたミューティング情報を受信し、ミューティング領域確認部は、受信したミューティング情報の第１データフィールド値を用いてミューティング周期とミューティングオフセットを確認することによって、ミューティング領域が存在するサブフレームを確定するステップと、第２データフィールド値を用いて該当ミューティングサブフレーム内でのミューティングパターングループを決定するステップと、第３データフィールド値を用いて該当ミューティングパターングループの内の特定ミューティングパターンを決定するステップと、決まったミューティングパターンを用いてミューティング領域を決定するステップなどで構成される。
【０３４３】
その他、チャネル状態取得部などの機能は、図２１と関連して説明したことと同一であるので、重複を避けるために詳細な説明を省略する。以上の実施形態を用いると、ＣｏＭＰセットなどのマルチセルをなす隣接セルのＣＳＩ−ＲＳパターン、各隣接セルのＣＳＩ−ＲＳアンテナポート数、時間／周波数の上のミューティング周期（periodあるいはcycle）、オフセットなどを考慮して、各状況に従って基地局が各端末（ＵＥ）に送るＣＳＩ−ＲＳ信号のリソース空間でミューティングを実行する部分に対するシグナリング情報、即ちミューティング情報を構成し送信することによって、効率的で、かつオーバーヘッドを最大限減らすことができる簡潔な方法を提供することができるという効果がある。
【０３４４】
また、マルチセル環境でサービングセルが隣接セルのＣＳＩ−ＲＳと重複する領域をミューティングしたＣＳＩ−ＲＳを生成して送信することによって、正確なＣＳＩ−ＲＳデコーディングが可能であり、それによってチャネル状態推定を精密に実行することができるという効果がある。
【０３４５】
以上、本発明の実施形態を構成する全ての構成要素が１つに結合されるか、結合されて動作することと説明されたが、本発明が必ずこのような実施形態に限定されるものではない。即ち、本発明の目的範囲内であれば、その全ての構成要素が１つ以上に選択的に結合して動作することもできる。また、その全ての構成要素が各々１つの独立的なハードウェアで具現されることができるが、各構成要素のその一部または全部が選択的に組み合わせて１つまたは複数個のハードウェアで組み合わせた一部または全部の機能を実行するプログラムモジュールを有するコンピュータプログラムとして具現されることもできる。そのコンピュータプログラムを構成するコード及びコードセグメントは本発明の技術分野の当業者により容易に推論できるものである。このようなコンピュータプログラムは、コンピュータが読取可能な格納媒体（Computer Readable Media）に格納されてコンピュータによって読取され、実行されることによって、本発明の実施形態を具現することができる。コンピュータプログラムの格納媒体としては、磁気記録媒体、光記録媒体、などが含まれることができる。
【０３４６】
また、以上で記載された“含む”、“構成する”、または“有する”などの用語は、特別に反対になる記載がない限り、該当構成要素が内在できることを意味するものであるので、他の構成要素を除外するのでなく、他の構成要素を更に含むことができることと解釈されるべきである。技術的または科学的な用語を含んだ全ての用語は、異に定義されない限り、本発明が属する技術分野で通常の知識を有する者により一般的に理解されることと同一な意味を有する。事前に定義された用語のように、一般的に使われる用語は関連技術の文脈上の意味と一致するものと解釈されるべきであり、本発明で明らかに定義しない限り、理想的であるとか、過度に形式的な意味として解釈されない。
【０３４７】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【０３４８】
関連出願の相互参照
【０３４９】
本特許出願は、２０１０年８月１１日付で韓国に出願した特許出願番号第１０−２０１０−００７７５９０号、２０１０年８月１３日付で韓国に出願した特許出願番号第１０−２０１０−００７８５３６号、２０１０年１０月７日付で韓国に出願した特許出願番号第１０−２０１０−００９８００５号、及び２０１０年１０月７日付で韓国に出願した特許出願番号第１０−２０１０−００９８００６号に対し、米国特許法１１９（ａ）条（３５Ｕ．Ｓ．Ｃ§１１９（ａ））により優先権を主張し、その全ての内容は参考文献として本特許出願に併合される。併せて、本特許出願は、米国以外の国家に対しても上記と同一な理由により優先権を主張すれば、その全ての内容は参考文献として本特許出願に併合される。
【図１】
0005952449.tif 000014
【図２】
0005952449.tif 000015
【図３】
0005952449.tif 000016
【図４】
0005952449.tif 000017
【図５】
0005952449.tif 000018
【図６】
0005952449.tif 000019
【図７】
0005952449.tif 000020
【図８】
0005952449.tif 000021
【図９】
0005952449.tif 000022
【図１０】
0005952449.tif 000023
【図１１】
0005952449.tif 000024
【図１２】
0005952449.tif 000025
【図１３】
0005952449.tif 000026
【図１４】
0005952449.tif 000027
【図１５】
0005952449.tif 000028
【図１６】
0005952449.tif 000029
【図１７】
0005952449.tif 000030
【図１８】
0005952449.tif 000031
【図１９】
0005952449.tif 000032
【図２０】
0005952449.tif 000033
【図２１】
0005952449.tif 000034
【図２２】
0005952449.tif 000035
【図２３】
0005952449.tif 000036
【図２４】
0005952449.tif 000037